(57)【要約】【課題】  コンテンツを管理するために必要な管理情報を容易に取得することが可能なコンテンツ管理システム，管理情報生成装置，管理情報加工装置，およびコンピュータプログラムを提供する。【解決手段】  管理情報生成装置は，コンテンツの各シーンに構成されるカットのカットメタ情報を生成するカットメタ情報生成部と；各カットの被写体又は楽曲等に関する属性情報と，そのカットメタ情報とを関連付ける属性関連付け部と；該カットメタ情報各々の内容をまとめ，シーンメタ情報を生成するシーンメタ情報生成部とを備え，上記管理情報加工装置は，各カットの撮影に関するテイクメタ情報を取得するテイクメタ情報取得部と；シーンメタ情報又はそのシーンメタ情報に関連付くカットメタ情報を取得し，該シーンメタ情報又はカットメタ情報とテイクメタ情報とを関連付けるテイク関連付け部と；シーンメタ情報等のメタ情報を加工する加工部とを備える。【選択図】    図１
2007013911.tif 000002
【特許請求の範囲】
【請求項１】
コンテンツに関する管理情報を生成する管理情報生成装置と，該管理情報を加工する管理情報加工装置と，該管理情報を保有する管理サーバとがネットワークを介して接続されたコンテンツ管理システムであって：
前記管理情報生成装置は，前記管理情報の一つであり前記コンテンツの各シーンに構成される１又は２以上のカットに係るカットメタ情報を生成するカットメタ情報生成部と；
前記カットに登場する少なくとも被写体及び／又は楽曲に関する属性情報を取得し，そのカットと対応するカットメタ情報に該属性情報を関連付ける属性関連付け部と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成部と；
を備えており，
前記管理情報加工装置は，カットの撮影に関するテイクメタ情報を取得するテイクメタ情報取得部と；
前記シーンメタ情報，または，そのシーンメタ情報に関連付けられたカットメタ情報のうち少なくとも一つを取得し，該シーンメタ情報及び／又はカットメタ情報と前記テイクメタ情報とを関連付けるテイク関連付け部と；
前記シーンメタ情報，前記カットメタ情報，該カットメタ情報に関連付けられた前記属性情報，または前記テイクメタ情報を加工する加工部と；
を備えることを特徴とする，コンテンツ管理システム。
【請求項２】
前記コンテンツ管理システムは，
前記被写体から無線で送出される送出情報を自動的に読み取る自動読み取り部と；
前記送出情報の読み取りのタイミングで生成された日時情報コードと，その送出情報とを対応付けてテイクメタ情報を生成するテイクメタ情報生成部と；
を備えた撮像装置をさらに有しており，
前記管理情報加工装置は，前記撮像装置により生成された前記テイクメタ情報を取得することを特徴とする，請求項１に記載のコンテンツ管理システム。
【請求項３】
前記送出情報は，前記被写体を識別する被写体識別情報を含んだ情報であり，前記被写体識別情報は，前記属性情報であることを特徴とする，請求項２に記載のコンテンツ管理システム。
【請求項４】
前記管理サーバは，前記管理情報生成装置からシーンメタ情報及び／又はカットメタ情報を受信すると，そのメタ情報を管理情報データベースに格納し，さらに前記撮像装置からテイクメタ情報を受信すると，その１又は２以上のテイクメタ情報をリスト化したリスト情報を前記管理情報加工装置に送信することを特徴とする，請求項１に記載のコンテンツ管理システム。
【請求項５】
前記管理サーバは，前記管理情報生成装置からシーンメタ情報及び／又はカットメタ情報を受信すると，それらのメタ情報を管理情報データベースに格納し，さらに前記管理情報加工装置からテイクメタ情報を受信すると，そのテイクメタ情報と関連するシーンメタ情報又はカットメタ情報のうち少なくとも一方を，該テイクメタ情報を基に更新することを特徴とする，請求項１に記載のコンテンツ管理システム。
【請求項６】
コンテンツに関する管理情報を生成する管理情報生成装置であって：
前記管理情報の一つであり前記コンテンツの各シーンに構成される１又は２以上のカットに係るカットメタ情報を生成するカットメタ情報生成部と；
前記カットに登場する少なくとも被写体及び／又は楽曲に関する属性情報を取得し，そのカットに対応するカットメタ情報に該属性情報を関連付ける属性関連付け部と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成部と；
を備えることを特徴とする，管理情報生成装置。
【請求項７】
前記属性情報は，前記カットに登場する被写体，楽曲，もしくは撮影場所のうち少なくとも一つの契約の有無又は契約内容を示すメタ情報であることを特徴とする，請求項６に記載の管理情報生成装置。の有無又は契約内容を示す
【請求項８】
前記カットメタ情報に関連付けられる属性情報には，前記被写体及び／又は楽曲について使用契約の有無を示すフラグが割当てられることを特徴とする，請求項６に記載の管理情報生成装置。
【請求項９】
前記シーンメタ情報生成部は，前記各カットメタ情報に係る属性情報の内容がまとめられた属性リスト情報を生成し，その属性リスト情報は画面上に表示されることを特徴とする，請求項６に記載の管理情報生成装置。
【請求項１０】
コンピュータをして，コンテンツに関する管理情報を生成する管理情報生成装置として機能させるコンピュータプログラムであって：
前記管理情報の一つであり前記コンテンツの各シーンに構成される１又は２以上のカットに係るカットメタ情報を生成するカットメタ情報生成手段と；
前記カットに登場する少なくとも被写体及び／又は楽曲に関する属性情報を取得し，そのカットに対応するカットメタ情報に該属性情報を関連付ける属性関連付け手段と；
１又は２以上のカットメタ情報を組み合わせて，該カットメタ情報各々の内容をまとめ，１又は２以上のカットから構成されるシーンのメタ情報であるシーンメタ情報を生成するシーンメタ情報生成手段と；
を含むことを特徴とする，コンピュータプログラム。
【請求項１１】
コンテンツに関する管理情報を加工する管理情報加工装置であって：
前記管理情報の一つでありカットの撮影に関するテイクメタ情報を取得するテイクメタ情報取得部と；
前記シーンメタ情報，または，そのシーンメタ情報と関連付くカットメタ情報のうち少なくとも一つを取得し，その取得したシーンメタ情報及び／又はカットメタ情報と前記テイクメタ情報とを関連付けるテイク関連付け部と；
前記シーンメタ情報，前記カットメタ情報，該カットメタ情報に関連付く情報であり前記カットに登場する少なくとも被写体及び／又は楽曲に関する属性情報，または前記テイクメタ情報を加工する加工部とを備えることを特徴とする，管理情報加工装置。
【請求項１２】
前記テイクメタ情報取得部は，前記管理情報加工装置とネットワークを介して接続された管理サーバの管理情報データベースに格納されたテイクメタ情報を取得することを特徴とする，請求項１１に記載の管理情報加工装置。
【請求項１３】
前記属性情報は，前記カットに登場する被写体，楽曲，もしくは撮影場所のうち少なくとも一つの契約の有無又は契約内容を示すメタ情報であることを特徴とする，請求項１１に記載の管理情報加工装置。
【請求項１４】
前記カットメタ情報に関連付けられる属性情報には，前記被写体又は楽曲について使用契約の有無を示すフラグが割当てられることを特徴とする，請求項１１に記載の管理情報加工装置。
【請求項１５】
前記テイクメタ情報は，
前記被写体から無線で送出される送出情報を自動的に読み取る自動読み取り部と；
前記送出情報の読み取りのタイミングで生成された日時情報コードと，その送出情報とを対応付けてテイクメタ情報を生成するテイクメタ情報生成部と；
を備えた撮像装置により生成され，
前記テイクメタ情報取得部は，前記撮像装置により生成された前記テイクメタ情報を取得することを特徴とする，請求項１１に記載の管理情報加工装置。
【請求項１６】
前記送出情報は，前記被写体を識別する被写体識別情報を含んだ情報であり，前記被写体識別情報は前記属性情報の一つであることを特徴とする，請求項１５に記載の管理情報加工装置。
【請求項１７】
前記シーンメタ情報，前記シーンメタ情報又はカットメタ情報各々に含まれる全ての属性情報の項目を一覧にリスト化した属性リスト情報，該シーンメタ情報に関連付けられたカットメタ情報，および該カットメタ情報に関連付けられたテイクメタ情報を，１又は２以上のシーン又はカットごとに画面上に表示するための画面情報を生成する画面情報生成部を備えることを特徴とする，請求項１１に記載の管理情報加工装置。
【請求項１８】
利用者からの入力を受付けることによりコンテンツには含まない対象外のシーンが選択されると，前記加工部は，前記シーンメタ情報に前記コンテンツの対象外のシーンであることを示す対象外フラグを設定することを特徴とする，請求項１１に記載の管理情報加工装置。
【請求項１９】
前記画面情報生成部は，前記シーンメタ情報又はカットメタ情報に属性情報が含まれる場合，そのシーンメタ情報又はカットメタ情報について画面上に表示する１又は２以上のセルのうち該属性情報と対応するセルを強調して画面上に表示するための画面情報を生成することを特徴とする，請求項１７に記載の管理情報加工装置。
【請求項２０】
前記画面情報生成部は，前記テイクメタ情報取得部により前記被写体を識別する被写体識別情報を含んだテイクメタ情報を少なくとも１つ取得した場合，その被写体識別情報に該当する属性情報と対応付くシーンメタ情報又はカットメタ情報について画面上に表示するセルを強調して表示するための画面情報を生成することを特徴とする，請求項１６に記載の管理情報加工装置。
【請求項２１】
前記管理情報加工装置は，前記取得した前記被写体識別情報の個数と前記シーン又はカットに構成された全フレーム数とを基にして，各被写体ごとの登場率をシーン又はカットごとに計算する登場率計算部を備え，
前記画面情報生成部は，前記テイクメタ情報を取得したタイミングと対応付けられるシーンメタ情報又はカットメタ情報について画面上に表示するセルに前記被写体の登場率が表された画面情報を生成することを特徴とする，請求項１６に記載の管理情報加工装置。
【請求項２２】
前記被写体の登場率は，数値，色の彩度，色の明度，またはバーグラフのうち少なくとも一つで表されることを特徴とする，請求項２１に記載の管理情報加工装置。
【請求項２３】
前記加工部は，前記シーンメタ情報，前記カットメタ情報，または前記テイクメタ情報のうち少なくとも一つのメタ情報を，利用者からの入力によって設定されたイン点及びアウト点を基にして，分割することを特徴とする，請求項１１に記載の管理情報加工装置。
【請求項２４】
前記加工部は，撮影により生成されたコンテンツ素材にイン点及びアウト点を設定することによって，該設定されたイン点及びアウト点範囲内の前記シーンメタ情報，カットメタ情報，およびテイクメタ情報に加工することを特徴とする，請求項１１に記載の管理情報加工装置。
【請求項２５】
コンピュータをして，コンテンツに関する管理情報を加工する管理情報加工装置として機能させるコンピュータプログラムであって：
前記管理情報の一つでありカットの撮影に関するテイクメタ情報を取得するテイクメタ情報取得手段と；
前記シーンメタ情報，または，そのシーンメタ情報と関連付くカットメタ情報のうち少なくとも一つを取得し，その取得したシーンメタ情報及び／又はカットメタ情報と前記テイクメタ情報とを関連付けるテイク関連付け手段と；
前記シーンメタ情報，前記カットメタ情報，該カットメタ情報に関連付く情報であり前記カットに登場する少なくとも被写体及び／又は楽曲に関する属性情報，または前記テイクメタ情報を加工する加工手段と；
を含むことを特徴とする，コンピュータプログラム。
【発明の詳細な説明】
【技術分野】
【０００１】
本発明はコンテンツ管理システム，管理情報生成装置，管理情報加工装置，およびコンピュータプログラムに関する。
【背景技術】
【０００２】
現在，映画や，放送番組などのコンテンツを制作する場合，一般的に取材先の現場などで撮影した複数のコンテンツ素材を編集し，完成作品である最終的なコンテンツ（完パケ）を制作し，その完パケが公衆に上映または放送されている。
【０００３】
複数のコンテンツ素材から完パケに効率的かつ迅速に編集するため，紙等のスクリプトシートや，ＥＤＬ（エディットリスト）などの編集を支援する様々な機能が開発されている（例えば，特許文献１）。
【０００４】
一方で，情報処理技術の発達及びブロードバンド化の進展に伴い，インターネット等の通信網を介して，または，ＤＶＤ等の記録媒体を介して，公衆は番組などを視聴することができる。
【０００５】
また，コンテンツを提供する形態の特性等に応じて，コンテンツの全部又は一部を変更又は削除し，既に世間で販売されているコンテンツとは異なる新たなコンテンツを制作する場合もある。
【０００６】
【特許文献１】特開２００４−１８０２７９号公報
【発明の開示】
【発明が解決しようとする課題】
【０００７】
しかしながら，複数のコンテンツ素材から完パケに編集が終了すると，スクリプトシートや，ＥＤＬなどのデータは消去される場合が多く，または上記データがコンテンツと一元化されていないため，コンテンツを別の媒体又は形態などに二次利用する場合，例えば，コンテンツの全シーン又は全カットを一部始終把握した後，再制作するのがほとんどであり，非効率であった。
【０００８】
本発明は，上記問題点に鑑みてなされたものであり，本発明の目的は，コンテンツを管理するために必要な管理情報を容易に取得することが可能な，新規かつ改良されたコンテンツ管理システム，管理情報生成装置，管理情報加工装置，およびコンピュータプログラムを提供することである。
【課題を解決するための手段】
【０００９】
上記課題を解決するため，本発明の第１の観点によれば，コンテンツに関する管理情報を生成する管理情報生成装置と，該管理情報を加工する管理情報加工装置と，該管理情報を保有する管理サーバとがネットワークを介して接続されたコンテンツ管理システムが提供される。上記コンテンツ管理システムにおける管理情報生成装置は，上記管理情報の一つでありコンテンツの各シーンに構成される１又は２以上のカットに係るカットメタ情報を生成するカットメタ情報生成部と；上記カットに登場する少なくとも被写体及び／又は楽曲に関する属性情報を取得し，そのカットと対応するカットメタ情報に該属性情報を関連付ける属性関連付け部と；１又は２以上のカットメタ情報を組み合わせて，該カットメタ情報各々の内容をまとめ，１又は２以上のカットから構成されるシーンのメタ情報であるシーンメタ情報を生成するシーンメタ情報生成部とを備えており，上記管理情報加工装置は，上記管理情報の一つでありカットの撮影に関するテイクメタ情報を取得するテイクメタ情報取得部と；上記シーンメタ情報，または，そのシーンメタ情報に関連付けられたカットメタ情報のうち少なくとも一つを取得し，該シーンメタ情報及び／又はカットメタ情報と上記テイクメタ情報とを関連付けるテイク関連付け部と；シーンメタ情報，カットメタ情報，当該カットメタ情報に関連付けられた属性情報，またはテイクメタ情報を加工する加工部とを備えることを特徴としている。なお，上記テイク関連付け部は，カットメタ情報と属性情報とを関連付けることに限定されず，例えば，シーンメタ情報及び／又はカットメタ情報と属性情報とを関連付けても良い。
【００１０】
本発明によれば，管理情報生成装置が属性情報とカットメタ情報及び／又はシーンメタ情報とを関連付け，それらの情報を管理情報として生成する。管理情報加工装置は，コンテンツ素材等の映像とともに生成されるテイクメタ情報，上記管理情報を取得し，テイクメタ情報と上記カットメタ情報等と関連付ける。かかる構成により，カットメタ情報やシーンメタ情報にひも付けられた属性情報は，完パケのコンテンツを管理する際の管理情報のみならず，コンテンツを二次利用する際の権利処理のための情報，契約を把握する契約確認情報などとしても有益な情報として活用できる。なお，上記シーンは，１又は２以上のカットを組み合わせたものである。またカットは，切れ目なしにシームレスに撮影（又は，撮像）された場面（又は，動画像）をいい，さらに編集する段階におけるカットは，イン点からアウト点までの場面（又は，動画像）である。テイクは，一つのカットの一回分の撮影をいう。なお，一つのカットに対し，１又は２回以上撮影する場合があり，そのうちから一つ選択されたテイクをＯＫテイクなどと定義する。
【００１１】
また，カットメタ情報は，上記カットに関する情報であり，例えば，カットメタ情報には，カット番号，カット撮影日時，カット名などのカットに直接関係する情報が含まれる。また，上記カットメタ情報には，カットの先頭部などの画像（サムネイル）を特定するための識別情報，ＯＫ又はＮＧなどカットの採用又は不採用を示すフラグ情報，シーンを撮影した撮影日時等の情報が含まれる。属性情報には，例えば，出演者名，ロケ地，楽曲名，契約の有無，契約の内容，著作者隣接権などの権利情報が含まれる。上記シーンメタ情報には，シーンに登場する被写体，楽曲などの情報が含まれる。また，シーンメタ情報には，シーンの先頭部などの画像（サムネイル）を特定するための識別情報，ＯＫ又はＮＧなどシーンの採用又は不採用を示すフラグ情報，シーンを撮影した撮影日時等の情報が含まれる。テイクメタ情報には，撮影した映像素材を特定するための識別情報，テイクの先頭部などの画像（サムネイル）を特定するための識別情報，ＯＫ又はＮＧなどテイクの採用又は不採用を示すフラグ情報，タイムコード，または撮影日時等の情報が含まれる。
【００１２】
コンテンツ管理システムは，上記被写体から無線で送出される送出情報を自動的に読み取る自動読み取り部と；上記送出情報の読み取りのタイミングで生成された日時情報コードと，その送出情報とを対応付けてテイクメタ情報を生成するテイクメタ情報生成部とを備えた撮像装置をさらに有しており，上記管理情報加工装置は，撮像装置により生成されたテイクメタ情報を取得するように構成してもよい。なお，管理情報加工装置は，上記テイクメタ情報を管理サーバを介して，または，撮像装置から直接取得する。
【００１３】
上記送出情報は，被写体を識別する被写体識別情報を含んだ情報であり，被写体識別情報は，上記属性情報であるように構成してもよい。なお，送出情報は，例えば，被写体識別情報の他に，被写体の出演者名，物品名等の属性を表す情報を含んでも良い。
【００１４】
上記被写体は該被写体を識別する情報を少なくとも記憶し無線通信可能な通信装置を有しており，上記自動読み取り部は，通信装置が記憶する情報を読み取るように構成してもよい。
【００１５】
上記管理サーバは，上記管理情報生成装置からシーンメタ情報及び／又はカットメタ情報を受信すると，そのメタ情報を管理情報データベースに格納し，さらに撮像装置からテイクメタ情報を受信すると，その１又は２以上のテイクメタ情報をリスト化したリスト情報を管理情報加工装置に送信するようにしてもよい。
【００１６】
上記管理サーバは，上記管理情報生成装置からシーンメタ情報及び／又はカットメタ情報を受信すると，そのメタ情報を管理情報データベースに格納し，さらに撮像装置からテイクメタ情報を受信すると，そのテイクメタ情報と関連するシーンメタ情報又はカットメタ情報のうち少なくとも一方を，該テイクメタ情報を基に更新し，その更新されたメタ情報を上記管理情報加工装置に送信するようにしてもよい。
【００１７】
上記管理サーバは，上記管理情報生成装置からシーンメタ情報及び／又はカットメタ情報を受信すると，それらのメタ情報を管理情報データベースに格納し，さらに上記管理情報加工装置からテイクメタ情報を受信すると，そのテイクメタ情報と関連するシーンメタ情報又はカットメタ情報のうち少なくとも一方を，該テイクメタ情報を基に更新するように構成してもよい。
【００１８】
上記属性情報は，上記各カットの被写体，楽曲，撮影場所のうち少なくとも一つの契約の有無又は契約内容を示すメタ情報であるように構成してもよい。
【００１９】
上記カットメタ情報に関連付けられる属性情報には，上記被写体又は楽曲について使用契約の有無を示すフラグが割当てられるようにしてもよい。
【００２０】
上記シーンメタ情報生成部は，上記各カットメタ情報に係る属性情報の内容がまとめられた属性リスト情報を生成するように構成してもよい。
【００２１】
上記属性情報は，上記カット又はシーンに登場するの被写体，楽曲，撮影場所のうち少なくとも一つの契約の有無又は契約内容を示すメタ情報であるように構成してもよい。
【００２２】
また，上記属性情報は，上記カット又はシーンに登場する被写体，楽曲，若しくは撮影場所のうち少なくとも一つの契約に関するメタ情報であるように構成してもよい。
【００２３】
上記カットメタ情報に関連付けられる属性情報には，上記被写体又は楽曲について使用契約の有無を示すフラグが割当てられるようにしてもよい。
【００２４】
上記テイクメタ情報取得部は，上記管理情報加工装置とネットワークを介して接続された管理サーバの管理情報データベースに格納されたテイクメタ情報を取得するように構成してもよい。
【００２５】
上記シーンメタ情報，上記属性リスト情報，該シーンメタ情報に関連付けられたカットメタ情報，および該カットメタ情報に関連付けられたテイクメタ情報を，１又は２以上のシーンごとに一括して画面上に表示するための画面情報を生成する画面情報生成部をさらに備えるようにしてもよい。
【００２６】
利用者からの入力を受付けて，コンテンツには含まない対象外のシーンが選択されると，上記加工部は，上記シーンメタ情報に上記コンテンツの対象外のシーンであることを示す対象外フラグを設定するようにしてもよい。なお，上記対象外フラグが設定されると，例えば，上記画面情報生成部はその対象外フラグが設定されているシーンメタ情報又はカットメタ情報，コンテンツ素材のサムネイル等の表示態様を変更する。したがって，利用者による視認性を向上させることができる。
【００２７】
上記画面情報生成部は，上記各シーンメタ情報に含まれる属性リスト情報の項目を一覧にまとめ，その一覧の中で該シーンメタ情報に含まれる属性リスト情報の項目がシーンごとに強調表示される画面情報を生成するようにしてもよい。
【００２８】
また，上記画面情報生成部は，上記シーンメタ情報又はカットメタ情報に属性情報が含まれる場合，そのシーンメタ情報又はカットメタ情報について画面上に表示する１又は２以上のセルのうち該属性情報と対応するセルを強調して画面上に表示するための画面情報を生成するようにしてもよい。
【００２９】
上記画面情報生成部は，上記テイクメタ情報取得部により被写体を識別する被写体識別情報を含んだテイクメタ情報を少なくとも１つ取得した場合，その被写体識別情報に該当する属性情報と対応付くシーンメタ情報又はカットメタ情報について画面上に表示するセルを強調して表示するための画面情報を生成するようにしてもよい。画面情報生成部は，例えば，コンテンツのカット又はシーンに構成されたフレームのうち１フレームでも上記被写体識別情報を取得したタイミングに該当するフレームが存在すれば強調表示をセルに施すが，かかる例に限定されない。
【００３０】
上記管理情報加工装置は，上記取得した被写体識別情報の個数と，上記シーン又はカットに構成された全フレーム数とを基にして，各被写体ごとの登場率をシーン又はカットごとに計算する登場率計算部を備え，上記画面情報生成部は，上記テイクメタ情報を取得したタイミングと対応付けられるシーンメタ情報又はカットメタ情報について画面上に表示するセルに被写体の登場率が表された画面情報を生成するように構成してもよい。
【００３１】
上記被写体の登場率は，数値，色の彩度，色の明度，またはバーグラフ（又は，インジゲータなど）のうち少なくとも一つで表されるように構成してもよい。
【００３２】
上記加工部は，上記シーンメタ情報，上記カットメタ情報，または上記テイクメタ情報のうち少なくとも一つのメタ情報を，利用者からの入力によって設定されたイン点及びアウト点を基にして，分割するようにしてもよい。
【００３３】
上記加工部は，撮影により生成されたコンテンツ素材にイン点及びアウト点を設定することによって，該設定されたイン点及びアウト点範囲内の上記シーンメタ情報，カットメタ情報，およびテイクメタ情報に加工するようにしてもよい。
【００３４】
上記シーンメタ情報又はカットメタ情報には，電子化された台本のセリフ情報が含まれるように構成してもよい。
【００３５】
上記シーンメタ情報を集計し，コンテンツのシーン全てのシーンメタ情報及び／又はそのシーンメタ情報に含まれる属性リスト情報をまとめて，一覧にした管理一覧リストを作成するリスト作成部をさらに備えるように構成してもよい。
【００３６】
上記属性情報，属性リスト情報，管理一覧リストを基に課金し，決済するように構成してもよい。
【００３７】
上記課題を解決するために，本発明の別の観点によれば，コンテンツに関する管理情報を生成する管理情報生成装置が提供される。なお，上記管理情報生成装置は，コンテンツ管理システムに構成される管理情報生成装置とほぼ同様な構成であるため詳細な説明は省略する。
【００３８】
上記課題を解決するために，本発明の別の観点によれば，コンテンツに関する管理情報を加工する管理情報加工装置が提供される。なお，上記管理情報加工装置は，コンテンツ管理システムに構成される管理情報加工装置とほぼ同様な構成であるため詳細な説明は省略する。
【００３９】
上記課題を解決するために，本発明の別の観点によれば，コンピュータをして，コンテンツに関する管理情報を生成する管理情報生成装置として機能させるコンピュータプログラムが提供される。上記コンピュータプログラムは，上記管理情報の一つであり上記コンテンツの各シーンに構成される１又は２以上のカットに係るカットメタ情報を生成するカットメタ情報生成手段と；上記カットに登場する少なくとも被写体及び／又は楽曲に関する属性情報を取得し，そのカットに対応するカットメタ情報に該属性情報を関連付ける属性関連付け手段と；１又は２以上のカットメタ情報を組み合わせて，該カットメタ情報各々の内容をまとめ，１又は２以上のカットから構成されるシーンのメタ情報であるシーンメタ情報を生成するシーンメタ情報生成手段とを含むことを特徴としている。
【００４０】
上記課題を解決するために，本発明の別の観点によれば，コンピュータをして，コンテンツに関する管理情報を加工する管理情報加工装置として機能させるコンピュータプログラムが提供される。上記管理情報の一つでありカットの撮影に関するテイクメタ情報を取得するテイクメタ情報取得手段と；上記シーンメタ情報，または，そのシーンメタ情報に関連付けられたカットメタ情報のうち少なくとも一つを取得し，該シーンメタ情報及び／又はカットメタ情報と上記テイクメタ情報とを関連付けるテイク関連付け手段と；上記シーンメタ情報，上記カットメタ情報，該カットメタ情報に関連付く情報であり上記カットに登場する少なくとも被写体及び／又は楽曲に関する属性情報，または上記テイクメタ情報を加工する加工手段とを含むことを特徴としている。なお，上記テイク関連付け手段は，カットメタ情報と属性情報とを関連付けることに限定されず，例えば，シーンメタ情報及び／又はカットメタ情報と属性情報とを関連付けても良い。
【００４１】
上記課題を解決するために，本発明の別の観点によれば，メタ情報付き台本データを生成するする台本制作装置が提供され，上記台本制作装置は，少なくともストーリーが電子化された台本データに，ストーリーに従って，撮影し，シーン，カット，テイクごとにメタ情報を生成し，そのメタ情報に権利処理用の情報，タイムコードなどを付加することで，メタ情報付き台本データを生成することを特徴としている。かかる構成により，シーン，カットごとの出演者などの契約内容を容易に利用者は把握することができ，コンテンツの二次利用等に対する契約を円滑化することができる。また，シーン，カットに出演している出演者の出演時間や，出演回数なども容易に算出することができ，契約金額等として妥当な金額を計算することができる。
【発明の効果】
【００４２】
以上説明したように，本発明によれば，コンテンツの各シーン，各カット等において，そのシーン又はカットに出演する出演者等に関する管理情報をコンテンツ単位に一元的に管理することができ，コンテンツを二次利用する等の場合に，上記管理情報を有効活用することができる。
【発明を実施するための最良の形態】
【００４３】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４４】
（コンテンツ管理システムについて）
まず，図１を参照しながら，第１の実施の形態にかかるコンテンツ管理システム１００の構成について説明する。図１は，第１の実施の形態にかかるコンテンツ管理システムの概略的な構成を示すブロック図である。
【００４５】
図１に示すように，コンテンツ管理システム１００は，撮像装置１０１と，管理情報生成装置１０２と，管理情報加工装置１０３と，ネットワーク１０５と，管理サーバ１０６とを備えている。
【００４６】
なお，上記管理サーバ１０６は，ネットワーク１０５を介して上記撮像装置１０１と，管理情報生成装置１０２と，管理情報加工装置１０３とを相互に接続しているが，かかる例に限定されず，ネットワーク１０５がコンテンツ管理システム１００に構成されない場合であっても実施可能である。
【００４７】
上記のような場合，光ディスク又はフラッシュメモリなどの記録媒体を介して，オフラインで，データが管理サーバ１０６と撮像装置１０１（管理情報生成装置１０２，管理情報加工装置１０３含む）との間でやりとりされてもよく，さらには，撮像装置１０１，管理情報生成装置１０２，および管理情報加工装置１０３との間で記録媒体を介してデータがやりとりされてもよい。
【００４８】
上記撮像装置１０１，管理情報生成装置１０２，および管理情報加工装置１０３は，必ずしも各装置とも１台から構成される必要はなく，複数台から構成される場合であっても実施可能であり，例えば，複数台の撮像装置１０１が撮像したコンテンツ素材又はテイクメタ情報を，ネットワーク１０５を介して管理サーバ１０６に送信することが可能である。
【００４９】
コンテンツ管理システム１００内において管理情報生成装置１０２は，撮像装置１０１が撮影したコンテンツ素材を含め，完パケとしてのコンテンツなど，コンテンツに関する情報を管理するための管理情報を生成する。なお，管理情報については，後程詳述するが，上記管理情報には，シーンメタ情報，カットメタ情報，テイクメタ情報，属性情報等の種々の情報が含まれている。
【００５０】
さらに，本実施の形態にかかる管理情報には，シーンメタ情報の他に，台本や香盤表等の電子化された台本データ等が含まれても実施可能である。
【００５１】
上記台本データには，例えば，出演者のセリフや，各シーン又は各カットのロケ地の説明，各シーン又は各カットで登場するセット（家具や，その他の物品など）の説明，さらには監督，出演者，その他の制作スタッフ等のリストが記述されているが，かかる例に限定されない。
【００５２】
上記管理情報生成装置１０２は，ネットワーク１０５を介してデータを送受信可能な通信機能を備えた装置である。より具体的には，管理情報生成装置１０２は，例えば，デスクトップ型又はノート型問わずＰＣ（パーソナルコンピュータ），ＰＤＡ（Ｐｅｒｓｏｎａｌ  Ｄｉｇｉｔａｌ  Ａｓｓｉｓｔａｎｔ），または携帯電話等の場合でも良い。
【００５３】
また，上記コンテンツ素材は，例えば，撮像装置１０１により撮像されたコンテンツデータそのままであり，編集などの加工処理がまだ施されていない状態の映像をいうが，かかる例に限定されない。
【００５４】
撮像装置１０１は，カムコーダなどの，ビデオカメラであり，放送用のニュース番組の取材や，スポーツなどの試合の模様や，映画などのコンテンツ素材の撮影に使用される装置である。
【００５５】
上記撮像装置１０１は，コンテンツを撮影できるだけでなく，シーン，カット，またはテイクにおいて撮影の時間情報（日時情報コード）を生成又は記録することができる。なお，時間情報は，例えばタイムコードを例示することができ，そのタイムコードは，日時又は時間を示すものである。
【００５６】
また，タイムコードは，上記撮像装置１０１によってフレーム単位に生成されるが，係る例に限定されず，５フレームごとにタイムコードが生成されても良い。
【００５７】
なお，上記シーンは，１又は２以上のカットを組み合わせたものである。上記カットは，切れ目なしにシームレスに撮影（又は，撮像）された場面（又は，動画像）をいう。さらに編集する段階におけるカットは，イン点からアウト点までの場面である。
【００５８】
上記テイクは，一つのカットの一回分の撮影をいう。なお，一つのカットに対し，１又は２回以上撮影する場合があり，そのうちから一つ選択されたテイクをＯＫテイクなどと定義する。
【００５９】
撮像装置１０１は，撮影したコンテンツ素材を，内蔵するハードディスクドライブ（ＨＤＤ）等の記憶手段，撮像装置１０１で使用可能なメモリカード，光ディスクなどの記憶媒体などに書き込み，記憶させる。
【００６０】
また，撮像装置１０１は，ネットワーク１０５を介して，例えば，ＩＰ（インターネットプロトコル）接続により管理サーバ１０６に接続し，タイムコード情報等を含んだテイクメタ情報を中心としたメタ情報を送信することができる。
【００６１】
なお，本実施の形態にかかる撮像装置１０１は，撮影したコンテンツ素材をその場で再生することが可能な再生機能を備えている。したがって，撮像装置１０１は，テイクで撮影したコンテンツ素材を撮像装置１０１に備わるビューファインダー４１９又は液晶ディスプレイに表示することができる。
【００６２】
なお，コンテンツデータは，複数のフレームが連続して構成される動画（ビデオ）データ及び／又は音声（オーディオ）データである。また，本実施の形態にかかる撮像装置１０１は，例えば，コンテンツデータを記録する記録機能，コンテンツデータを画面上に再生する再生機能等を備える場合でも実施可能である。
【００６３】
コンテンツは，上記説明のように，動画及び／又は音声であるが，より具体的には放送番組や映画などを例示することができ，さらには写真や絵画など所定時間のフレーム全て同じ画像が連続する静止画像データ，ラジオ番組などの音声データ，またはそれらの組合せから構成されるデータである。
【００６４】
また，図１に示す管理サーバ１０６は，管理情報生成装置１０２から送信されるシーンメタ情報等を含んだ管理情報を受信し，コンテンツごとに管理情報データベース（以下，ＤＢ）に格納する。したがって，管理情報ＤＢには管理情報が各コンテンツごとに格納される。
【００６５】
ネットワーク１０５は，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網をはじめ，ＩＥＥＥ８０２．１１ａ規格などの無線，ＲＳ−２３２Ｃ，またはＲＳ−４２２などの有線から構成される。また，衛星通信などから構成することも可能である。
【００６６】
図２を参照しながら，図１に示すコンテンツ管理システム１００を応用した応用例について説明する。図２は，本実施の形態にかかるコンテンツ管理システムの概略的な構成を示す説明図である。
【００６７】
図２に示すように，例えば，放送番組を制作する場合，コンテンツ管理システム１００には，番組制作するシステムと，ＥＣＧシステムと，著作権プラットフォーム著作権処理システムと，映像配信サービスＶＯＤシステムとが備わっている。
【００６８】
番組制作システムにおいて，粗編集装置は，アーカイブセンターシステムからコンテンツ素材と台本，香盤表などのメタ情報を受信する。
【００６９】
粗編集装置は，撮像処理（又は，テイク）ごとに撮像された複数のコンテンツデータから完パケとして使用する，または，放映するための映像シーンの取捨選択や範囲指定（イン点，アウト点）などを行う。なお，映像シーンの取捨選択や範囲指定などは，例えば利用者からの指示に従うが，かかる例に限定されない。
【００７０】
粗編集装置は，編集を行った際には採用された各シーンの記録されていた媒体を特定するＩＤと，開始点（イン点）および終了点（アウト点）のタイムコードをメタ情報（又は，ＥＤＬ）として記録する。
【００７１】
上記本編集装置は，上記ＥＤＬ等を基にして，粗編集された映像シーンから最終コンテンツデータである完パケを作成する。
【００７２】
また，本編集装置は，編集を行った際には採用された各シーンの記録されていた媒体を特定するＩＤおよび開始点・終了点のタイムコードをメタ情報としてＨＤＤ等に記録する。
【００７３】
さらに，本編集装置は自己の完パケメタＤＢに，各完パケに対応したメタ情報を管理する。
【００７４】
次に，図２に示すＥＣＧシステムには，ＥＣＧメタ情報管理サーバと，ＥＣＧ登録サービスサーバと，ＥＣＧ提供サービスサーバとが備わっている。
【００７５】
上記ＥＣＧ登録サービスサーバは，ＥＣＧメタ情報管理サーバに備わる各種ＤＢに対し，番組メタ情報や商品（ＤＶＤ，ＣＤ，書籍，など）メタ情報を完パケのコンテンツに係るメタ情報に登録（又は，付加）したり，番組メタ情報と商品メタ情報とを関連付けたりする。
【００７６】
上記ＥＣＧメタ情報管理サーバは，上記ＥＣＧ登録サービスサーバで登録された番組メタ情報，商品メタ情報が格納された番組メタ情報ＤＢ，商品メタ情報ＤＢを備える。
【００７７】
さらに，上記ＥＣＧメタ情報管理サーバは，番組メタ情報と商品メタ情報との関連付け情報（ディレクトリメタ情報）が格納されたＥＣＧメタ情報ＤＢを備える。
【００７８】
上記ＥＣＧ提供サービスサーバは，上記ＥＣＧメタ情報管理サーバから必要なメタ情報を取得し，ユーザ端末に対して各種メタ情報を送信することによってＥＣＧサービスを提供する。
【００７９】
さらに，上記ＥＣＧ提供サービスサーバは，各種メタ情報を，例えば，ＨＴＭＬまたはＢＭＬなどの各種プレゼンテーション形式にデータを変換する機能を備えている。
【００８０】
上記ユーザ端末は，ユーザ（利用者）がＥＣＧ提供サービスを利用するための端末であり，より具体的には，例えば，ユーザ端末は，ＩＰ接続し，ネットワーク１０５を介して通信可能なＰＣ，携帯電話，ＰＶＲ，ＳＴＢ（セットトップボックス）などを例示することができる。
【００８１】
上記著作権プラットフォーム/著作権処理システムは，各種コンテンツに対して，例えば二次利用などの用途に応じた権利処理を行うためのプラットフォームおよびシステムである。
【００８２】
上記著作権プラットフォーム/著作権処理システムは，管理情報生成装置１０２等により生成された属性情報に含まれる著作権情報等を解釈し，権利処理が必要な権利者への権利クリアや著作権料分配などの処理を行う。
【００８３】
また，上記著作権プラットフォーム/著作権処理システムは，完パケに付加された管理情報のうち権利クリアに必要な情報を取得し，それらを別途管理する権利者ごとの確認連絡先情報などと照らし合わせ，該当する権利をクリアするための連絡先などの一覧を画面上に表示するなどの機能も備えてもよい。
【００８４】
上記映像配信サービス/ＶＯＤシステムは，コンテンツの二次利用を行うシステムであって，ネットワークを介して，ユーザ端末に対しコンテンツを配信するシステムである。
【００８５】
管理情報加工装置１０３は，管理情報生成装置１０２により生成される管理情報（メタ情報）を，ネットワーク１０５を介して受信し，撮影した結果，シーンまたはカットに変更部分があれば，管理情報加工装置１０３は，その部分のメタ情報を変更することができる。
【００８６】
また，管理情報加工装置１０３は，上記管理情報生成装置１０２と同様に，ネットワーク１０５を介してデータを送受信可能な通信機能を備えた装置である。より具体的には，管理情報加工装置１０３は，例えば，デスクトップ型又はノート型問わずＰＣ（パーソナルコンピュータ），ＰＤＡ（Ｐｅｒｓｏｎａｌ  Ｄｉｇｉｔａｌ  Ａｓｓｉｓｔａｎｔ），または携帯電話等の場合でも良い。
【００８７】
（撮像装置１０１について）
次に，図３を参照しながら，本実施の形態に係る撮像装置１０１について説明する。図３は，本実施の形態にかかるコンテンツ管理システムに備わる撮像装置の概略的な構成を示すブロック図である。
【００８８】
図３に示すように，撮像装置１０１は，被写体を撮像して，撮像したコンテンツデータを記録媒体である光ディスク１０４に記録して，光ディスク１０４に記録されたコンテンツデータを再生する機能を有する。即ち，撮像装置１０１は，撮影した映像を記録媒体に記録可能な映像記録装置としてもよい。
【００８９】
図３に示すように，撮像装置１０１は，映像データを生成し，撮像装置１０１におけるズーム，再生，または記録処理等の各処理制御するカメラブロック４０２と，音声データ，タイムコード，サムネイル，映像記録媒体の識別情報などのテイクメタ情報の生成，上記生成された音声データ，映像データ，テイクメタ情報を光ディスク１０４に記録したり，記録されたデータを再生したりするレコーダブロック４０３とから構成される。したがって，撮像装置１０１は，撮像装置，再生装置，または記録装置のうち少なくとも一つを備えた装置である。
【００９０】
上記カメラブロック４０２は，撮像部４０７と，ビデオプロセッサ４０８と，ビデオ圧縮部４０９と，ビデオインタフェース４１０と，データバス４１１と，カメラコントローラ４１３と，カメラコントローラインタフェース４１２と，ビデオプロセッサインタフェース４１４と，操作部インタフェース４１５と，操作部４１６と，メモリ部４１７と，ＣＰＵ（中央演算処理装置）４１８と，ビューファインダー４１９と，ビューファインダーインタフェース４２０と，レコーダインタフェース４２１とから構成される。
【００９１】
撮像部４０７は，少なくとも１つの撮像素子（撮像デバイス）を備える。撮像素子は，例えば，受光面に２次元的に設けられた光電変換素子からなる複数の画素により，被写体から受光した光学像を光電変換して電気的な画像信号として出力するＣＣＤなどの固体撮像デバイスが挙げられる。
【００９２】
ビデオプロセッサ４０８は，撮像部４０７により生成された映像データをＡ／Ｄ変換，ホワイトバランス処理，γ（ガンマ）補正や，アパーチャー（ａｐｅｒｔｕｒｅ）補正処理などを実行する。
【００９３】
ビデオ圧縮部４０９は，圧縮する必要がある場合，上記ビデオプロセッサ４０８によりＡ／Ｄ変換された映像データを，例えばモーションＪＰＥＧ，ＭＰＥＧ１，ＭＰＥＧ２，またはＭＰＥＧ４方式などにより圧縮処理（エンコード処理）する。
【００９４】
ビデオインタフェース４１０は，ビデオ圧縮部４０９により圧縮された映像データを，コンテンツデータとしてデータバス４１１に転送（送受信）するための媒介として機能する。なお，本実施の形態にかかるビデオ圧縮部４０９は，圧縮が必要ない場合は，圧縮処理せずにビデオインタフェース４１０に出力する。
【００９５】
ビデオプロセッサインタフェース４１４は，上記ビデオプロセッサ４０８により，Ａ／Ｄ変換又は圧縮するための制御プロセッサデータなどを，ビデオプロセッサ４０８又はデータバス４１１に転送するための媒介として機能する。
【００９６】
カメラコントローラ４１３は，例えば操作部４１６などによる指示に基づき，撮像部４０７に対し絞りやズームの制御を行い，カメラコントローラインタフェース４１２は，データバス４１１から転送される例えば操作部４１６による指示データなどをカメラコントローラ４１３に転送するための媒介として機能する。
【００９７】
操作部４１６は，利用者からの指示を受付けて，例えばズーム又は絞りの調整や，記録開始など各操作を行い，操作部インタフェース４１５は，上記操作部４１６の操作により生成される指示データをデータバス４１１に転送するための媒介として機能する。
【００９８】
なお，本実施の形態に係る操作部４１６は，例えば，利用者から操作指示を受けることが可能なトラックボール，トラックパッド，またはジョイスティックなどのポインティングデバイスや，１又は２以上のボタン，スイッチ，レバー，または利用者からの音声を認識することが可能なマイク等の操作手段と，操作手段で受付けた入力に対応する入力信号を生成し，ＣＰＵ４１８に出力する入力制御回路などから構成されている。
【００９９】
ＣＰＵ４１８は，カメラブロック４０２の各部の処理を制御し，メモリ部４１７は，例えば，過去の撮像時のズームや絞りなどの撮像情報を記憶する。なお，メモリ部４１１は，ＲＡＭ，ＥＥＰＲＯＭなどが例示されるが，撮像情報などのデータを記憶可能であれば，かかる例に限定されない。
【０１００】
ビューファインダー４１９は，撮像する被写体の範囲を定めるための器具であり，撮像中又は再生時の映像データ（ビデオ）を表示し，さらにタイムコード等を表示する。ビューファインダーインタフェース４２０は，データバス４１１から転送されてくる映像データ又はタイムコードなどを上記ビューファインダー４１９に転送するための媒介として機能する。
【０１０１】
レコーダインタフェース４２１は，カメラブロック４０２とレコーダブロック４０３との間に，データを転送するための媒介として機能する。
【０１０２】
レコーダブロック４０３は，マーク生成部４０４と，テイクメタ生成部４０５と，記録部４０６と，マイクロフォン４２２と，オーディオプロセッサ４２３と，オーディオインタフェース４２４と，オーディオプロセッサインタフェース４２５と，カメラインタフェース４２６と，通信部４２７と，日時情報コード生成部４２８と，ＬＣＤ表示インタフェース４３０と，ＬＣＤ表示４２９と，メモリカードインタフェース４３１と，メモリ部４３２と，ＣＰＵ４３３と，サムネイル生成部４５１と，ＩＤ生成部４５０とを備える。
【０１０３】
テイクメタ生成部４０５は，テイクごとに生成されたタイムコード等に基づきテイクメタ情報を生成する。したがって，テイクメタ生成部４０５は，１回の記録開始から記録終了に至る連続した撮像処理（テイク）において生成されたタイムコード全てと，撮像した際のズーム倍率など撮像に関連する撮像情報の付加処理などを行い，テイクメタ情報を生成する。
【０１０４】
さらに，テイクメタ生成部４０５は，例えば，予め管理情報生成装置１０２により生成された管理情報に含まれるシーンメタ情報，カットメタ情報を基にして，撮影したコンテンツ素材の映像を基にして自動的にテイクメタ情報を生成してもよい。
【０１０５】
自動的にテイクメタ情報を生成するためには，テイクメタ生成部４０５は，コンテンツ素材の画像解析を行うことで，シーン又はカットを特定し，その特定したシーン又はカットに対応するシーンメタ情報又はカットメタ情報を基にして，テイクメタ情報等を生成する。
【０１０６】
カメラインタフェース４２６は，カメラブロック４０２とレコーダブロック４０３との間に，データを転送するための媒介として機能する。
【０１０７】
オーディオプロセッサ４２３は，マイクロフォン４２２により伝送される音声データのＡ／Ｄ変換及び音声調整などを行い，必要に応じてＡ／Ｄ変換された音声データを圧縮する。
【０１０８】
オーディオプロセッサインタフェース４２５は，上記オーディオプロセッサ４２３により生成するための制御プロセッサデータを，オーディオプロセッサ４２３又はデータバス４３４に転送するための媒介として機能し，オーディオインタフェース４２４は，必要に応じて圧縮された音声データをコンテンツデータとしてデータバス４３４に転送するための媒介として機能する。
【０１０９】
通信部４２７は，撮像装置１０１から，少なくとも映像データ及び／又は音声データからなるコンテンツデータや，テイクメタ情報などのデータを，ネットワーク１０５を介して送受信する。
【０１１０】
日時情報コード生成部４２８は，撮像時に年，月，日，及び時間などからなる日時情報コード（タイムコード）のタイムカウントを行い，コンテンツデータのフレームごとに生成された上記タイムコードを付加する。なお，本実施形態にかかるタイムコードは，コンテンツデータのフレームを識別可能であれば，かかる例に限定されず，例えば，年，月，日，もしくは時間のうち少なくとも一つからなる情報コードや，コンテンツデータの先頭フレームからフレームにフレーム番号またはＦＴＣ（フレーム  タイム  コード）などを付加する場合等であっても実施可能である。なお，ＦＴＣは，先頭フレームからのフレーム番号をタイムコード形式に表示したものである。
【０１１１】
ＬＣＤ表示４２９は，コンテンツデータの画像，日時情報コード，音声出力レベル，またはテイクメタ情報などを表示する。ＬＣＤ表示インタフェース４３０は，上記ＬＣＤ表示４２９に撮影中のコンテンツの映像，テイクメタ情報に含まれるタイムコードもしくは撮像情報，音声出力レベルなどを表示させるためデータバス４３４からデータを転送するための媒介として機能する。
【０１１２】
メモリインタフェース４３１は，例えば，フラッシュメモリ等の半導体メモリに記録されたテイクメタ情報に含まれる撮像情報などのデータを転送するための媒介として機能する。したがって，例えばフラッシュメモリなどに他の撮像装置１０１で使用したテイクメタ情報などを読み取り，または上記撮像情報などを書き込みすることが可能となる。
【０１１３】
ＣＰＵ４３３は，レコーダブロック４０３又は管理ブロック４０６の各部の処理を制御することができる。メモリ部４３２は，テイクメタ情報などのデータを記憶することが可能である。例えば，メモリ部４３２は，ＲＡＭ，ＥＥＰＲＯＭ，などを例示することができるが，かかる例に限定されず，本実施の形態にかかるメモリ部４３２は，ハードディスクなどの磁気記憶部であってもよい。
【０１１４】
また，本実施の形態にかかる管理ブロック４０６は，テイクで撮像された映像データと音声データとからなるコンテンツデータと，テイクごとに生成されるテイクメタ情報とを光ディスク１０４又はメモリ部４３２等に記録する。
【０１１５】
なお，本実施の形態にかかる管理ブロック４０６は，光ディスク１０４にコンテンツデータとテイクメタ情報を記録する場合に限定されず，例えば，管理ブロック４０６は，撮像により映像データと音声データとから成るコンテンツデータと，テイクごとに生成されるテイクメタ情報とを光ディスク１０４の記録領域に別々に記録する場合でもよい。なお，上記光ディスク１０４に記録される記憶領域は，コンテンツデータとテイクメタ情報とは別領域である。例えば，光ディスク１０４の同一トラック内におけるコンテンツデータが記録される記憶領域の前後にテイクメタ情報が記録される記憶領域が存在する場合，光ディスク１０４のコンテンツデータが記録される記憶領域及びテイクメタ情報が記録される記憶領域が予め定められている場合などが例示される。
【０１１６】
上記管理ブロック４０６は，ドライブインタフェース４３５と，コンテンツデータ及びテイクメタ情報を光ディスク又はメモリ部４３２に記録する又は再生するためのデータ形式に変換するデータプロセッサ４３７と，コンテンツデータ及びテイクメタ情報を読み／書きするためレーザーの発生及び受光部（図示せず。）を制御するピックアップコントロール４３６と，再生／記録するために光ディスク１０４を着脱制御するローディングメカニズムコントローラ４３８と，メカニズムインタフェース４３９とから構成されている。
【０１１７】
サムネイル生成部４５１は，タイムコードの生成とともに，コンテンツ素材の先頭部のフレームを取得し，そのフレームの画像をサムネイル画像として生成する。
【０１１８】
ＩＤ生成部４５０は，映画又は番組等の一連の撮影単位又はコンテンツ素材を記録する記録媒体単位に識別可能なＩＤ（識別子）を生成する。なお，ＩＤの生成は，例えば，一意に識別可能なように撮影日時，ＧＰＳ等による撮影場所などを組み合わせることによってＩＤを生成するが，かかる例に限定されない。
【０１１９】
（管理情報生成装置１０２について）
次に，図４を参照しながら，本実施の形態にかかる管理情報生成装置１０２について説明する。図４は，本実施の形態にかかる管理情報生成装置の概略的な構成を示すブロック図である。
【０１２０】
図４に示すように，管理情報生成装置１０２は，ＣＰＵ（又は，制御手段）５０１と，入力部５０２と，出力部５０３と，通信部５０４と，メモリ部５０５と，ストレージ装置５０６とを備える。
【０１２１】
上記ＣＰＵ５０１は，管理情報生成装置１０２に備わる各部（入力部５０２〜ストレージ装置５０６）の処理を制御する。また，ストレージ装置５０６に記憶された各種のプログラムを実行する。
【０１２２】
入力部５０２は，例えば，利用者から操作指示を受けることが可能なマウス，トラックボール，トラックパッド，スタイラスペン，またはジョイスティックなどのポインティングデバイスや，キーボード，ボタン，スイッチ，レバー等の操作手段と，入力信号を生成してＣＰＵ５０１に出力する入力制御回路などから構成されている。管理情報生成装置１０２を使用する利用者は，この入力部５０２を操作することにより，例えば，管理情報生成装置１０２に対して各種のデータを処理するよう指示したりプログラムの起動を指示したりすることができる。
【０１２３】
出力部５０３は，ＣＰＵ５０１等により表示可能なように処理された表示画面データを画面上に表示する。また，出力部５０３は，例えば，ＴＶ装置又は液晶ディスプレイ装置などを例示することができ，静止画像のほか，音声又は動画像などを出力することが可能である。
【０１２４】
通信部５０４は，ネットワーク１０５を介して管理サーバ１０６，撮像装置１０１，または管理情報加工装置１０３と通信可能である。したがって，通信部５０４は各種データを受信し，又は，通信部５０４は各種データを送信する。
【０１２５】
メモリ部５０５は，ＣＰＵ５０１等の指示により，各種データを読み出し，又は，プログラムなど各種データを書き込むことができる。なお，メモリ部５０５は，例えば，ＲＡＭ，ＥＥＰＲＯＭなどを例示することができるが，かかる例に限定されない。
【０１２６】
ストレージ装置５０６は，本実施形態にかかる管理情報生成装置１０２の記憶部の一例として構成されたデータ格納用の装置であり，例えば，ＨＤＤ（Ｈａｒｄ  Ｄｉｓｋ  Ｄｒｉｖｅ）で構成される。
【０１２７】
上記ストレージ装置５０６は，ＨＤＤを駆動し，ＣＰＵ５０１が実行するプログラムや各種データを格納する。また，このストレージ装置５０６には，後述の図４に示すカットメタ情報生成部５１０，属性関連付け部５１１，シーンメタ情報生成部５１２などが格納されている。
【０１２８】
上記カットメタ情報生成部５１０は，利用者からの入力に応じて，コンテンツの各カットについて，カットメタ情報を生成するプログラムモジュールである。上記カットメタ情報は，後述するが，撮影の前に台本とともに作成されるカットに関するメタ情報である。
【０１２９】
上記属性関連付け部５１１は，生成されたカットメタ情報又はシーンメタ情報と，属性情報とを関連付ける（ひも付ける）プログラムモジュールである。上記属性情報は，例えば，カットに登場する出演者（被写体）の契約の有無や，建物もしくは携行品等の使用契約の有無，または著作者隣接権等の権利情報を含んだ情報である。
【０１３０】
なお，本実施の形態にかかる被写体は，例えば，シーン又はカットに登場する建物，小道具，出演者，撮影場所（ロケ地），さらにはシーン又はカットに使用される楽曲などを例示することができる。
【０１３１】
シーンメタ情報生成部５１２は，コンテンツの各シーンについて，シーンメタ情報を生成するプログラムモジュールである。なお，上記シーンメタ情報は，詳細は後述するが，シーンメタ情報は，シーンに登場する出演者，撮影予定日などを含んだメタ情報である。
【０１３２】
（管理情報加工装置１０３）
次に，図５を参照しながら，本実施の形態にかかる管理情報加工装置１０３について説明する。なお，図５は，本実施の形態にかかる管理情報加工装置１０３の概略的な構成を示すブロック図である。
【０１３３】
図５に示すように，管理情報加工装置１０３は，ＣＰＵ（又は，制御手段）５５１と，入力部５５２と，出力部５５３と，通信部５５４と，メモリ部５５５と，ストレージ装置５５６とを備える。
【０１３４】
なお，本実施の形態にかかる管理情報加工装置１０３は，上記説明した管理情報生成装置１０２に備わるものと，ほぼ実質的に同様であるため，以下に異なる点について説明する。
【０１３５】
上記ストレージ装置５５６には，テイクメタ情報取得部５６０と，テイク関連付け部５６１と，加工部５６２と，画面情報生成部５６３と，各種プログラム又はデータが記憶されている。
【０１３６】
テイクメタ情報取得部５６０は，プログラムモジュールであって，撮像装置１０１により生成されたテイクメタ情報を取得するプログラムである。
【０１３７】
テイク関連付け部５６１は，上記テイクメタ情報取得部５６０によって取得されたテイクメタ情報と，カットメタ情報又はシーンメタ情報とを関連付けるプログラムモジュールである。
【０１３８】
テイク関連付け部５６１は，テイクメタ情報に記載されたコンテンツを特定するＩＤと，予めシーンメタ情報又はカットメタ情報に記載されているコンテンツを特定するためのＩＤ（番組ＩＤなど）とが同一であると判断した場合，それらのメタ情報とテイクメタ情報とを関連付ける。
【０１３９】
加工部５６２は，取得したテイクメタ情報，カットメタ情報，またはシーンメタ情報等の各種データを，利用者からの入力に従い，適宜情報を追加，変更，または削除するプログラムモジュールである。
【０１４０】
画面情報生成部５６３は，シーンメタ情報又はカットメタ情報を画面上に表示するための表示画面データを生成するプログラムモジュールである。また，画面情報生成部５６３は，例えば，シーンメタ情報又はカットメタ情報と関連付けられた属性情報については，その情報項目について表示態様を他のものと変更する。
【０１４１】
なお，本実施の形態にかかる管理情報加工装置１０３又は管理サーバ１０６に備わる各種データを通信でやり取りしながら処理を行う機能などは，それぞれどちらに備わっていても実施可能である。即ち，管理情報加工装置１０３に備わる各部は，管理サーバ１０６に備わっている場合でも良く，または，管理サーバ１０６に備わる各部は，管理情報加工装置１０３に備わる場合でも良い。
【０１４２】
つまり，例えば，管理情報加工装置１０３にインストールされたアプリケーションで編集処理（又は，加工処理）を実行してもよいし，管理サーバ１０６にインストールされたＷｅｂアプリケーションの機能により編集作業（又は，加工処理）を実行しても良い。
【０１４３】
（コンテンツ管理システムにおける動作説明）
次に，図６を参照しながら，本実施の形態に係るコンテンツ管理システムにおける動作について説明する。図６は，本実施の形態にかかるコンテンツ管理システムの動作の概略を示すフローチャートである。
【０１４４】
（事前処理）
まず，図６を参照しながら，本実施の形態に係るコンテンツ管理システムにおける事前処理について説明する。
【０１４５】
図６に示すように，事前処理では，まず，管理情報生成装置１０２は，撮影前に用意された台本の情報を電子化し，メタ情報として管理サーバ１０６に備わる管理情報ＤＢに格納する（Ｓ６０１）。
【０１４６】
上記ステップＳ６０１で管理情報ＤＢに格納される主な情報は，例えば，台本中でシーン毎に香盤表として用意された情報や，放送番組であれば放送時間等の編成情報，映画であれば上映時間等の情報を含む。
【０１４７】
なお，本実施の形態にかかる台本のシーンにおける出演者，そのシーンに関する香盤表は，例えば，番組又は映画等のコンテンツを制作するスタッフ（スクリプター等）が作成したデータを管理情報生成装置１０２に記憶したものをメタ情報に含ませるようにしても実施可能である。
【０１４８】
また，メタ情報として管理情報ＤＢに格納される際に，管理情報生成装置１０２のカットメタ情報生成部５１０が生成したカットメタ情報や，カットメタ情報等と関連付けられた属性情報等もメタ情報に含まれる。
【０１４９】
ここで，図７を参照しながら，本実施の形態にかかる管理情報生成装置１０２が生成する，又は，管理情報ＤＢに格納されるメタ情報の構成について説明する。図７は，本実施の形態にかかるメタ情報の概略的な構成を示す説明図である。
【０１５０】
図７に示すように，メタ情報には，番組（又は，映画など）全体に関する編成メタ情報と，シーンごとに生成されるシーンメタ情報（図７に示すシーン１，シーン２，…）と，シーンメタ情報又はカットメタ情報と関連付けられる属性情報とが含まれる。なお，シーンメタ情報には，そのシーンに構成される１又は２以上のカットに係るカットメタ情報が含まれている。
【０１５１】
シーンメタ情報は，シーンごとにシーンメタ情報生成部５１２により生成される。シーンメタ情報には，図７に示すように，例えば，シーンを撮影した日（撮影日）などの情報が含まれる。
【０１５２】
さらに，図７に示すように，例えば，シーン１は，カット１とカット５とから構成されているように，適当なカットを組み合わせることでシーンを構成することができる。上記カット１，カット５などの各カットについては，カットメタ情報生成部５１０がカットメタ情報を生成する。
【０１５３】
上記カットメタ情報は，シーンに構成される１又は２以上のカットに関するメタ情報であって，シーンメタ情報と同様にカットを撮影した日（撮影日）等の情報が含まれる。なお，シーンに構成されるカットが１カットである場合，カットメタ情報を生成せずに，シーンメタ情報のみでも実施可能である。
【０１５４】
生成されたカットメタ情報は，シーンメタ情報がシーンメタ情報生成部５１２により生成される際に，利用者からの指示に応じて，そのシーンを構成するカットのカットメタ情報が組み合わされ，その各カットメタ情報の内容がまとめられ，シーンメタ情報に反映される。
【０１５５】
属性情報は，シーン又はカットに関する出演者，楽曲，小物，商品，ロケ地，建造物，さらには権利対象物等の権利情報が含まれる。上記属性情報をシーンメタ情報又はカットメタ情報に関連付けることで，例えば，シーン又はカットに登場する出演者の契約（二次利用に関連する等）の有無や，契約の内容，著作者隣接権の許諾内容又は権利処理の有無（図６に示す“処理済”，または“未処理”）等を管理することができる。
【０１５６】
上記説明したように，シーンメタ情報生成部５１２は，カットメタ情報を組み合わせ，シーンメタ情報が生成される際には，カットメタ情報に関連付けられた属性情報をまとめて属性リスト情報を生成し，その属性リスト情報をシーンメタ情報に含ませている。
【０１５７】
管理情報生成装置１０２の属性関連付け部５１１は，例えば，上記のようなシーンメタ情報が生成されると，利用者が画面上に表示されるシーンメタ情報を参照しながら，例えば人物ＤＢに格納された俳優Ａを選択し，既に契約済みであれば，利用者からその属性情報に契約済みフラグを設定するよう指示があるとフラグを設定し，利用者からシーンメタ情報と属性情報との関連付けの指示があると，シーンメタ情報と属性情報との関連付けを行う。
【０１５８】
次に，図８を参照しながら，本実施の形態にかかるコンテンツに対し，コンテンツ素材が記憶された記憶媒体に関するＩＤおよびそのＩＤに対応するメタ情報について説明する。図８は，本実施の形態にかかるコンテンツ素材が記録された記録媒体に関するＩＤとそのＩＤに対応するメタ情報の概略を示した説明図である。
【０１５９】
図８に示すように，管理情報ＤＢには，コンテンツ一つ分のデータ構成として，または，コンテンツ一つについて一つのファイル構成として，ＤＢのルートに番組等のコンテンツを特定するＩＤが存在し，その配下には１又は２以上のコンテンツ素材（映像素材）を特定するためのＩＤが存在する。
【０１６０】
さらに，上記映像素材ＩＤの直下には，その映像素材に対応するメタ情報が存在する。当該メタ情報は，上記説明した通り，例えば，シーンメタ情報，カットメタ情報，属性情報，後述するがテイクメタ情報等を例示することができる。
【０１６１】
そして，最後にコンテンツの完パケを特定するためのＩＤ（完パケＩＤ）が存在し，その完パケＩＤの直下には，完パケに対応するメタ情報が存在している。
【０１６２】
なお，映像素材ＩＤまたは完パケＩＤによって特定するコンテンツ素材（映像素材）または完パケは，例えば，管理情報ＤＢとは別のストレージ装置に格納されているが，かかる例に限定されない。
【０１６３】
また，管理情報ＤＢから管理情報加工装置１０３などに送信する際のファイル構成は，例えば，一つのコンテンツ全体で，一つのメタ情報のファイル（ＸＭＬ等のタグによりシーン単位での情報確認を可能とする），または，一つのコンテンツ全体で一つのメタ情報のファイルと各シーンごとのメタ情報のファイルのどちらの場合でも実施可能である。上記メタ情報のファイルは，例えばＸＭＬ形式等で記述される。
【０１６４】
また，上記管理情報ＤＢを参照し，その参照したメタ情報を基にして，例えば，メタ情報が指示する実際の情報等を取得することも実施可能である。例えば，管理情報ＤＢのメタ情報には，楽曲や出演者を特定するためのＩＤのみが格納され，楽曲や人物についての各種情報は別の楽曲情報ＤＢや人物情報ＤＢを参照して取得する場合を例に挙げることができる。
【０１６５】
さらに，図９を参照しながら，本実施の形態にかかるメタ情報の生成について説明する。なお，図９は，本実施の形態にかかるメタ情報の生成の概略について示す説明図である。
【０１６６】
管理情報生成装置１０２により，カットメタ情報等のメタ情報を生成する場合，管理情報生成装置１０２の画面上には，図９に示すような表示画面（以下，メタ情報生成画面）が表示される。
【０１６７】
図９に示すように，メタ情報生成画面は，編成情報等に該当するコンテンツ（番組など）全体に関連する情報と，コンテンツのシーン，カット，テイク（タイムコード含む）を指定するためのプルダウンメニューと，シーン等に関する出演者などの属性情報の項目が表示される属性表示項目とから少なくとも構成される。
【０１６８】
利用者は，まず番組の放送日時，番組名，監督名，原作名などのコンテンツ全体に関する情報を，入力部５０２を操作して入力し，事前に撮影に用いる記録媒体が決まっている場合は，撮影媒体ＩＤ（記録媒体ＩＤ）を指定する。
【０１６９】
次に，利用者がコンテンツのカットいずれかを選択すると，カットメタ情報生成部５１２はカットメタ情報を生成する。さらに，そのカットが選択された状態で，画面左側に表示された属性表示項目が利用者によりクリックされて関連付けの指示があると，その属性表示項目に表示された属性情報と，カットメタ情報とが関連付けられ，シーンに関係する情報として表示態様が図９に示すように変化する。
【０１７０】
さらに，上記カットメタ情報と属性情報との関連付がシーン内における他のカットについても実行されると，さらにシーンメタ情報の生成が利用者からの指示としてあると，シーンメタ情報生成部５１２は，既に生成され，シーンに構成されるカットについてのカットメタ情報を収集し，そのカットメタ情報の情報内容を集計することで，シーンメタ情報を生成する。
【０１７１】
生成されたシーンメタ情報は，各カットメタ情報に含まれる撮影日時や，属性情報としての出演者名，ロケ地，権利対象物などの情報を総和したもの（属性リスト情報）を含んでいる。したがって，シーンメタ情報が管理情報生成装置１０２の画面上に表示されると，例えば，図９に示すように，あるシーンに出演する全出演者や全ロケ地など複数の属性情報が属性表示項目として表示される。
【０１７２】
なお，図９に示すように，例えば，シーンメタ情報が１又は２以上生成されると，そのシーンに関係する属性情報またはシーンに関係しない属性情報として，表示態様が異なるように画面上に表示されるが，かかる例に限定されず，例えば，カットメタ情報が複数生成された場合でも，上記と同様に表示態様が異なるように画面上に表示されても良い。
【０１７３】
再び図６に戻り，図６を参照すると，管理情報加工装置１０３の通信部５５４は管理サーバ１０６から台本等の情報が含まれたメタ情報を受信する（Ｓ６０３）。なお，管理情報加工装置１０３は，管理サーバ１０６からテイクメタ情報を取得する場合に限らず，例えば，管理情報加工装置１０３は，撮像装置１０１から直接に有線無線を問わず通信網を介してテイクメタ情報を取得しても良い。
【０１７４】
管理情報加工装置１０３は，上記管理サーバ１０６からメタ情報を受信すると，そのメタ情報に含まれるコンテンツごと，そのコンテンツのシーンごと，そのシーンに構成されるカットごとにメタ情報をストレージ装置５５６に記憶し管理する。
【０１７５】
なお，管理情報加工装置１０３は，上記管理サーバ１０６からネットワーク１０５を介してメタ情報を受信する場合を例に挙げて説明したが，かかる例に限定されず，例えば，管理情報加工装置１０３は，フラッシュメモリなどの記録媒体を介してオフラインでメタ情報を取得する場合等でも実施可能である。
【０１７６】
次に，管理情報加工装置１０３は，取得したメタ情報を基にして，画面上に表示する（Ｓ６０５）。
【０１７７】
ここで，管理情報加工装置１０３におけるメタ情報の加工画面について説明する。管理情報加工装置１０３によるメタ情報の加工処理の初期画面は，図９に示すような管理情報生成装置１０２によりメタ情報を生成するための画面と実質的に同様な画面が表示される。なお，管理情報加工装置１０３におけるメタ情報の加工画面は，図９に示す管理情報生成装置１０２によりメタ情報を生成するための画面と実質的に同様であるが，かかる例に限定されない。
【０１７８】
図９に示すように，管理情報加工装置１０３の画面上にメタ情報加工処理の初期画面が表示される。管理情報加工装置１０３は，管理サーバ１０６の管理情報ＤＢから取得したメタ情報の名称を一覧表示する。
【０１７９】
利用者は，図９に示すメタ情報と対応付けられたコンテンツ素材が記録された記録媒体（テープなど）を特定する撮影媒体ＩＤを指定する。なお，かかる撮影媒体ＩＤは，例えば，管理情報加工装置１０３が，加工処理等においてタイムコードを取得する際に，どの記録媒体に記録されたコンテンツ素材のタイムコード（テイクメタ情報）を取得するか，という判断材料となる。
【０１８０】
利用者が，図９に示すプルダウンメニューをクリックしてシーンを指定すると，管理情報加工装置１０３の画面上には，取得済みのシーン毎のシーンメタ情報が表示されるが，その際に管理情報加工装置１０３の画面情報生成部５６３は，それらシーンメタ情報を参照し，各メタ情報項目が当該シーンに関連するか否か判断し，関連性の有無がセルの色区別などの表現態様で自動的に表示画面データを生成する。
【０１８１】
なお，図９に示す加工画面の項目は，シーンに関連する項目のみ表示される場合，例えば出演者情報のみ，楽曲情報のみなどメタ情報の特定カテゴリのみ表示される場合などを利用者側からの任意の指示により切り替えることができる。さらにまた，任意の条件によるメタ情報の項目を表示する順番をソートにより変更することも実施可能である。
【０１８２】
以上で，本実施の形態にかかるコンテンツ管理システム１００における事前処理について説明を終了する。
【０１８３】
（撮影及びテイクメタ情報生成について）
次に，図６を参照しながら，本実施の形態にかかる撮影及びテイクメタ情報生成処理について説明する。
【０１８４】
図６に示すように，事前処理が終了すると（Ｓ６０５），次に，撮像装置１０１は，実際に撮影現場で撮影タイミングにあわせて撮影処理を開始し，タイムコード等のテイクメタ情報を生成する（Ｓ６０７）。
【０１８５】
上記撮像装置１０１は，撮影する映像に対し，各シーン，各カット，各テイクなどの任意の撮影時間単位でタイムコードを表すテイクメタ情報を生成する（Ｓ６０７）。
【０１８６】
次に，撮像装置１０１は生成したタイムコードを含むテイクメタ情報を管理サーバ１０６に送信する（Ｓ６０９）。
【０１８７】
また，撮像装置１０１は，生成するテイクメタ情報にタイムコードとあわせて，さらに例えば，シーン，カット，テイクを識別するＩＤを含ませたり，撮影しているカメラを識別するＩＤをテイクメタ情報に含ませたり，撮影媒体（テープ，ディスクなど）を識別するＩＤを含ませたりするが，かかる例に限定されない。
【０１８８】
また，撮像装置１０１はネットワーク１０５を介して，又は，オフラインで，撮影したコンテンツ素材である映像または撮影区間の最初の画面の静止画像などを合わせて送信することができる。
【０１８９】
なお，図６に示す例は，撮像装置１０１からネットワーク１０５を介して管理サーバ１０６にデータを送信する，という伝達経路であるが，かかる例に限定されず，例えば，図１０に示すように，撮像装置１０１から，管理情報加工装置１０３にテイクメタ情報等が送信され（Ｓ６１０），さらに管理情報加工装置１０３から管理サーバ１０６にシーンメタ情報等のメタ情報が送信される等の伝達経路でもよい。
【０１９０】
なお，図１０に示すフローチャートは，図６に示すフローチャートと，上記のステップＳ６１０が存在する点を除いて，実質的に同様な処理構成であるため，詳細な説明は省略する。
【０１９１】
最終的には，メタ情報が管理サーバ１０６に一元的に格納される点，および，管理情報生成装置１０２により生成されたメタ情報が，編集／加工する際に管理情報加工装置１０３に送信されて，存在している点が必要な要件となる。
【０１９２】
なお，本実施の形態にかかる撮像装置１０１において生成された映像データ（コンテンツ素材）又はテイクメタ情報を，ネットワーク１０５を介する場合以外に，例えば，各種ディスクやフラッシュメモリなどの記録媒体を通じてオフラインで受け渡してもよい。
【０１９３】
次に，図６に示すように，管理サーバ１０６は，受信したメタ情報等から対象となるコンテンツ（番組）や記録媒体に関する情報を管理情報ＤＢから検出し，新規に受信したメタ情報を基にしてに，コンテンツ全体のメタ情報を最新のメタ情報に更新する（Ｓ６１１）。
【０１９４】
なお，管理サーバ１０６に備わる管理情報ＤＢに格納されているメタ情報の概略的なデータ構成は，図１１に示すような複数のタグから構成されたデータ構造となるが，かかる例に限定されない。
【０１９５】
図１１は，本実施の形態にかかるメタ情報の概略的なデータ構成を示す説明図である。図１１に示すように，ブロック１１０１は，番組全体に関する情報であり，ブロック１１０３は，記録媒体ごとに作成される情報であり，ブロック１１０５は，シーン，カット，テイクごとに作成される情報である。
【０１９６】
次に，図６に示すように，管理情報加工装置１０３は，管理サーバ１０６に記録媒体を特定するための識別情報（ＩＤ情報など）を送信し（Ｓ６１３），その記録媒体の識別情報と対応するタイムコードなどのテイクメタ情報，さらにはそのテイクメタ情報と関連付けられたシーンメタ情報又はカットメタ情報を取得する（Ｓ６１５）。
【０１９７】
管理情報加工装置１０３は，上記のように，シーンメタ情報，カットメタ情報（属性情報も含む），テイクメタ情報等のメタ情報を取得すると，図１２に示すように，記録媒体に記録されたコンテンツ素材の映像シーンと，シーンメタ情報等のメタ情報とを関連付けて，各シーンについて管理することができる。
【０１９８】
なお，図１２に示すテープ１の上段がコンテンツ素材の各シーンの先頭部のサムネイル画像であって，下段がその各シーンについてのシーンメタ情報であることを示している。テープ２についても同様である。
【０１９９】
また，上記各シーンを編集して完パケにしても完パケとして採用された各シーンのコンテンツ素材とメタ情報とが対応付けられて管理される。
【０２００】
さらに，図１３に示すように，粗編集・本編集によって図１２に示す各シーンから完パケとして採用されると，不採用になった（完パケとは対象外となった）シーンについては，サムネイル画像と属性情報等のメタ情報とがともに表示態様が変更されて，不採用であることを示すように画面上に表示される。または不採用である部分を完全に非表示としても良い。なお，図１２，図１３は，本実施の形態にかかるコンテンツとメタ情報との概略的な構成を示した説明図である。
【０２０１】
図１３に示す対象外となったシーン，カット，テイクなどについては，例えば，管理情報加工装置１０３に備わる加工部５６２によって対象外フラグが設定され，そのシーン，カット，テイクとともに上記対象外フラグがストレージ装置５５６に記憶されるが，かかる例に限定されない。
【０２０２】
次に，管理情報加工装置１０３の画面情報生成部５６３は，ステップＳ６１５で取得したタイムコード等を含んだテイクメタ情報やシーンメタ情報を基にして，セグメントで区切ったメタ情報を加工／編集するための画面を生成し画面上に表示する（Ｓ６１７）。
【０２０３】
図１４に示すように，画面情報生成部５６３により，画面上に表示されるメタ情報を加工／編集する画面には，セグメント単位にシーンメタ情報等のメタ情報が表示される。なお，図１４に示すように，セグメントは，例えば，タイムコードを基準にイン点〜アウト点が設定された範囲であって，画面上では“▼”〜“▼”の範囲をセグメントとする。
【０２０４】
なお，本実施の形態にかかる上記セグメントの幅は，常に一定である場合，タイムコードの時間的な幅に連動して増減する場合（なお，かかる場合，実際の映像の長さを視覚的に判断することが可能である。）のいずれかの場合を利用者による設定で変更することが可能である。
【０２０５】
管理情報加工装置１０３が，管理サーバ１０６よりシーン／カット／テイクを識別するＩＤを取得していた場合，自動的に区切られ新規に作成されたセグメントに対し，取得済みの台本等のメタ情報から対応するシーンの情報を参照し，セルの表示を更新する（Ｓ６１９）。
【０２０６】
管理情報加工装置１０３がその他の補足情報としてサムネイル画像などのテイクメタ情報を取得していた場合には，あわせて画面上に表示することにより，利用者の操作をより直感的なものとして処理効率を上げることができる。
【０２０７】
利用者は，管理情報加工装置１０３の加工／編集画面を利用し，実際に撮影されている映像の内容に合わせて，各メタ情報項目の関連性の有無を編集するよう指示する。すると，加工部５６２，テイク関連付け部５６１は，テイクメタ情報を必要に応じて変更し，またテイクメタ情報とシーンメタ情報又はカットメタ情報とを関連付ける。
【０２０８】
図１４に示す例では，加工／編集はセルのＴＲＵＥ/ＦＡＬＳＥをクリック等で切り替えるのみで，利用者は入力部５５２を介してデータ項目名を毎回入力することなく編集が可能となる。
【０２０９】
入力部５５２などのマウスでセルをクリックすることによるトグル式の切り替えを行う，または，入力部５５２に備わるタッチパネルでセルをクリックすることによるトグル式の切り替えを行う等を例示することができる。
【０２１０】
なお，図１４では，画面上に属性情報（又は，属性リスト情報），シーン又はカットのサムネイル，および撮影日時などの情報のみが表示されているが，かかる例に限定されない。例えば，画面上に，さらに電子化された台本データに含まれるシーン又はカットごとのセリフが表示される場合などでも実施可能である。
【０２１１】
次に，管理情報加工装置１０３は，自装置内で更新したメタ情報を任意のタイミングで管理サーバ１０６に送信する（Ｓ６２１）。
【０２１２】
次に，管理サーバ１０６は，管理情報加工装置１０３から受信した各種メタ情報のうち，コンテンツを識別する番組ＩＤや映像記録媒体ＩＤから更新されたメタ情報の所在を特定し，最新の情報に個別に更新する（Ｓ６２３）。
【０２１３】
必要に応じて管理サーバ１０６は，管理情報ＤＢに格納された電子化された台本のデータ等を他の装置に転送することができる。
【０２１４】
次に，上記ステップＳ６０７〜ステップＳ６２３を撮影の期間中繰り返して実行する。
【０２１５】
（映像の粗編集，本編集について）
次に，本実施の形態にかかる粗編集と本編集とについて説明する。編集については，映像の編集に合わせてメタ情報を取捨選択することが必要である。
【０２１６】
映像の編集を行う際には，コンテンツ（番組など）のＩＤを基にして，コンテンツ素材の映像と，コンテンツ素材に係るメタ情報とを関連付ける。
【０２１７】
コンテンツ素材とメタ情報とは，映像素材（コンテンツ素材）と管理サーバ１０６に付加されたタイムコードにより対応付ける。
【０２１８】
ここで，図１５を参照しながら，管理情報加工装置１０３による粗編集，本編集のための編集画面について説明する。なお，図１５は，本実施の形態にかかる粗編集・本編集のための編集画面の概略的な構成を示す説明図である。
【０２１９】
図１５に示すように，コンテンツ素材を編集する際には，図１２，図１３に示すように，シーン又はカット単位に採用された映像の区切りごとに開始点（イン点）と終了点（アウト点）が記録される。
【０２２０】
なお，上記イン点とアウト点は，利用者が入力部５５２等を用いて設定することにより，テイクメタ情報等にタイムコードとともに記録される。
【０２２１】
次に，管理情報加工装置１０３のテイク関連付け部５６１は，それらの開始点（イン点）・終了点（アウト点）を取得し，図１６に示すように，タイムコードを比較することにより対応する区分のメタ情報の部分のみを，編集後のコンテンツ素材と対応付ける。図１６は，本実施の形態にかかるコンテンツ素材とメタ情報との編集の概略について示す説明図である。
【０２２２】
図１６に示すように，イン点，アウト点を設定すると，その範囲に係る部分のメタ情報のみをコンテンツ素材と対応付けることによって，完パケとしてコンテンツ素材（シーン２映像，シーン３映像，シーン７映像）とそれに対応するメタ情報に編集することができる。
【０２２３】
図１６に示すように，例えば，テープ２のシーン７映像のコンテンツ素材（映像データ）について，利用者から入力部５５２を介してイン点（▼），アウト点（▼）を設定するよう指示を，管理情報加工装置１０３が受けると，加工部５６２は，テイクメタ情報に上記イン点，アウト点を設定し，さらに完パケとしての指示があると，加工部５６２は，そのイン点，アウト点が設定されたシーン７映像のコンテンツ素材とテイクメタ情報とを図１６に示すように，データを移動する。
【０２２４】
（完パケメタ情報の格納について）
次に，図６に示すように，粗編集と本編集とが完了すると，その本編集が完了した完パケ（最終的なコンテンツ）に対応する完パケ用のメタ情報を完パケメタＤＢに格納する。なお，完パケ用のメタ情報は，管理情報ＤＢの完パケ用の領域を割当てて，そこに格納される場合でもよい。さらに，完パケを特定するＩＤ（完パケＩＤ）を完パケ用のメタ情報に含ませておくことで，その完パケＩＤを基にして完パケを取得することができる。
【０２２５】
（完パケのメタ情報の利用について）
本実施の形態にかかるコンテンツ管理システムでの事前処理〜本編集処理までの一連の処理を通じて，制作された完パケとその完パケに付随するメタ情報とは，例えば，番組ＩＤ，完パケ用のコンテンツ素材を特定するＩＤにより，完パケの映像コンテンツとメタ情報とが対応付けられている。
【０２２６】
なお，完パケの映像データは，メタ情報が記録される記録媒体の領域内に一緒に格納する場合でも良いし，データ量が大きくメタ情報と一緒の領域に記憶することが困難である場合，メタ情報とは別途の記録媒体に映像データを格納する場合でも実施可能である。
【０２２７】
完パケのメタ情報に記載された例えば各シーン，カット等のメタ情報を基にして，スクリプター等のスタッフ（利用者）が電子化された台本や，香盤表などを再加工することにより，リアルタイムで又は後日，最新の情報で構成された電子化された台本データ等を作成することもできる。
【０２２８】
完パケのメタ情報を基に再度修正された台本データには，例えば，シーン毎に正確なタイムコードが記述されていたり，視覚的にストーリー展開を把握しやすいようにシーン毎のサムネイル画像が表示されていたり，様々な画面表示用のテンプレートとの組み合わせにより用途に応じた電子化された台本データを作成することができる。
【０２２９】
各シーン／カット／テイクで生成されたメタ情報は，それらシーン，カット，テイクの区切りの単位でメタ情報を外部に出力することができる。一つのシーン（シーン５だけ等）の情報を含むシーンメタ情報，シーン３とシーン８のメタ情報を含むシーンメタ情報，さらにシーンとそのシーン構成されるカットのシーンメタ情報とカットメタ情報などを外部に出力することができる。
【０２３０】
また，カットメタ情報には関連付けられた属性情報が含まれており，さらにシーンメタ情報には，そのシーンに構成されるカットの属性情報をまとめた属性リスト情報が含まれているため，利用者は本編集後のコンテンツのメタ情報に含まれる属性情報または属性リスト情報から，契約の有無や，契約内容，権利情報などを把握することが可能となり，例えば，コンテンツの二次利用などに迅速に活用することができる。
【０２３１】
（データ構造）
上記図１１において説明したが，ここで，図１７〜図１９を参照しながら，本実施の形態にかかるメタ情報のデータ構造について詳細に説明する。図１７〜図１９は，本実施の形態にかかるメタ情報の概略的なデータ構成を示す説明図である。
【０２３２】
図１７は，撮像装置１０１から管理サーバ１０６に送信される際のメタ情報を図示したものである。図１７に示すメタ情報は，例えば，撮像装置１０１が生成するテイクメタ情報等を例に挙げることができる。
【０２３３】
図１７に示すように，タグ１７０１には，番組又は映画等のコンテンツを特定するための情報が含まれている。なお，ＩＤ“ｐｒｏ０００１”がコンテンツを特定するための情報である。
【０２３４】
タグ１７０３には，記録媒体を特定するための情報が含まれている。なお，ＩＤ“ｔａｐｅ０１”が記録媒体を特定するための情報である。また，タグ１７０５には，シーン，カット，テイクに関する情報が含まれている。
【０２３５】
図１８は，管理サーバ１０６から管理情報加工装置１０３に送信される際のメタ情報を図示したものである。図１８に示すメタ情報は，例えば，シーンごとに生成されるシーンメタ情報や，そのシーンに構成されるカットに関するカットメタ情報などを例示することができる。
【０２３６】
図１８に示すように，タグ１８０１には，コンテンツ全体に関する情報が含まれている。例えば，放送日時や，番組名等の編成情報がタグ１８０１に含まれている。
【０２３７】
タグ１８０３には，管理情報生成装置１０２により生成されたシーンメタ情報，カットメタ情報等のメタ情報が含まれている。また，タグ１８０５には，コンテンツの各シーン，カット，テイクに関する全体のメタ情報が含まれている。なお，図１８に示すメタ情報は，撮影前の初期登録時の状態であるためタイムコード等のテイクメタ情報に含まれるような情報は存在していない。
【０２３８】
図１９は，管理サーバ１０６から管理情報加工装置１０３に送信される際のメタ情報を図示したものである。図１９に示すメタ情報は，図１８に示すメタ情報と比較して，撮影に関するタイムコード等の情報が含まれている点で相違する。つまり，図１９に示すメタ情報は，撮影後に管理サーバ１０６に送信されるテイクメタ情報を基にして図１８に示すメタ情報が更新されたものである。
【０２３９】
図１９に示すように，タグ１９０１には，上記タグ１８０１と同様に，コンテンツ全体に関する情報が含まれている。例えば，放送日時や，番組名等の編成情報がタグ１９０１に含まれている。
【０２４０】
タグ１９０３には，上記タグ１８０３と同様に，管理情報生成装置１０２により生成されたシーンメタ情報，カットメタ情報等のメタ情報が含まれている。また，タグ１９０５には，上記タグ１８０５と同様に，コンテンツの各シーン，カット，テイクに関する全体のメタ情報が含まれている。
【０２４１】
（メタ情報の加工処理について）
次に，図２０〜図２２を参照しながら，本実施の形態に係るコンテンツ管理システムにおけるメタ情報の加工処理について説明する。なお，図２０〜図２２は，本実施の形態に係るコンテンツ管理システムにおけるメタ情報の加工処理の概略を示すフローチャートである。
【０２４２】
図２０に示すように，まず管理情報生成装置１０２は，コンテンツのＩＤや，コンテンツ名等の番組であれば編成情報に相当する情報を登録する（Ｓ２００１）。なお，図２０〜図２２では，コンテンツのＩＤを番組ＩＤとしているが，かかる例に限定されない。
【０２４３】
次に，管理情報生成装置１０２（カットメタ情報生成部５１０又はシーンメタ情報生成部５１２）は，番組ＩＤに対応付けられた台本データを基にして，シーンメタ情報を生成する（Ｓ２００３）。なお，管理情報生成部１０２は，シーンにおけるカットが複数存在する場合，まずカットメタ情報を生成する。
【０２４４】
撮像装置１０１は，管理サーバ１０６に登録された番組ＩＤと同じＩＤを撮像装置１０１側にも登録する（Ｓ２００５）。なお，撮像装置１０１は，管理サーバ１０６の管理情報ＤＢから番組ＩＤ等を含んだシーンメタ情報等を受信することで，上記番組ＩＤ等を設定しても良い。
【０２４５】
次に，撮像装置１０１は，記録媒体を特定するためのＩＤを生成し，自装置内に登録する（Ｓ２００７）。なお，上記記録媒体ＩＤは上記説明したように，日時や場所などをＩＤに含ませる手法などが挙げられる。
【０２４６】
次に，管理情報加工装置１０３は，後続の処理でメタ情報を加工する対象の番組ＩＤを設定する（Ｓ２００９）。なお，上記番組ＩＤは，管理サーバ１０６に備わる管理情報ＤＢに格納されたメタ情報を受信した際に設定されても良く，かかる場合，番組ＩＤの設定を省略することができる。
【０２４７】
次に，管理情報加工装置１０３は，管理サーバ１０６に番組ＩＤを指定して，その番組ＩＤに対応するメタ情報を要求する（Ｓ２０１１）。
【０２４８】
管理情報加工装置１０３からメタ情報の要求があると（Ｓ２０１１），管理サーバ１０６は，該当するメタ情報を管理情報ＤＢから検索し，データが存在すれば（Ｓ２０１５），管理サーバ１０６は，管理情報加工装置１０３に上記番組ＩＤに対応する台本データや，シーンメタ情報，カットメタ情報等のメタ情報を送信する（Ｓ２０１７）。
【０２４９】
一方，管理情報ＤＢにデータが存在しない場合（Ｓ２０１５），管理情報ＤＢに該当するコンテンツ（番組）が未登録であると判断され（Ｓ２０１６），管理情報加工装置１０３には，エラーメッセージが送信され，画面上に表示される。したがって，管理情報生成装置１０２によりコンテンツの登録等の事前処理が行われる（Ｓ２００１〜）。
【０２５０】
次に，図２１に示すように，撮像装置１０１は，撮影時，テイク単位にシーン番号，カット番号，テイク番号を生成し，さらにはタイムコードを生成する（Ｓ２０１９）。上記生成されたシーン番号等は，例えば，テイクメタ情報に含まれるが，かかる例に限定されない。
【０２５１】
撮影が終了すると撮像装置１０１は，先程ステップＳ２０１９で生成したテイクメタ情報を管理サーバ１０６に送信することで，管理サーバ１０６は，番組ＩＤ，記録媒体ＩＤ，シーン番号，カット番号，テイク番号，タイムコード等を含んだテイクメタ情報を取得することができる（Ｓ２０２１）。
【０２５２】
次に，管理サーバ１０６は，取得したメタ情報に記載された内容を基にして，番組ＩＤ又は記録媒体ＩＤ等をキーにして，該当するメタ情報を管理情報ＤＢから検索する（Ｓ２０２３）。
【０２５３】
検索の結果，該当する番組ＩＤが存在した場合（Ｓ２０２５），さらに管理サーバ１０６は，その番組ＩＤで，該当する記録媒体ＩＤ，シーン番号，カット番号が存在するか検索する。
【０２５４】
一方，検索の結果，該当する番組ＩＤが存在しない場合（Ｓ２０２５），台本データ等のメタ情報に登録がされていないとして，エラーとして撮像装置１０１または管理情報生成装置１０２等の画面上にエラーメッセージが表示され，事前処理を行うように利用者を促す。
【０２５５】
次に，指定された映像記録媒体ＩＤ（記録媒体ＩＤ），シーン番号，カット番号等を基にして管理情報ＤＢに該当するメタ情報を検索する（Ｓ２０２７）。
【０２５６】
検索の結果，該当する記録媒体ＩＤ，シーン番号，カット番号が存在しない場合で，例えば，シーン番号が存在しない場合，管理サーバ１０６は，シーンメタ情報を新規に生成するように撮像装置１０１又は管理情報生成装置１０２に促すためメッセージを送信する（Ｓ２０３１）。
【０２５７】
また，管理サーバ１０６は，シーン番号に該当するシーンに複数のカット番号，テイク番号が存在するか否かをシーンメタ情報等を参照することで確認し（Ｓ２０３３），管理情報ＤＢ内のシーンメタ情報にカット番号，テイク番号が存在した場合，該当するシーンメタ情報又はカットメタ情報を既に受信したテイクメタ情報を基にして更新し，テイクメタ情報も更新する（Ｓ２０３５）。
【０２５８】
またカット番号，テイク番号が存在しない場合（Ｓ２０３３），管理サーバ１０６は，管理情報ＤＢに格納された該当するシーンメタ情報又はカットメタ情報に，既に受信したテイクメタ情報を新規に関連付けて追加する（Ｓ２０３７）。
【０２５９】
次に，管理情報加工装置１０３は，例えば，所定間隔ごとに管理サーバ１０６に対して，予め指定した番組ＩＤ，記録媒体ＩＤに該当するメタ情報を送信するよう要求する（Ｓ２０３９）。なお，管理情報加工装置１０３のテイクメタ情報取得部５６０は，管理サーバ１０６に対して，予め指定した番組ＩＤ，記録媒体ＩＤに該当するメタ情報が更新された場合に限り，そのメタ情報を送信するよう要求しても良い。
【０２６０】
管理サーバ１０６は，管理情報加工装置１０３からメタ情報が要求されると，番組ＩＤ，記録媒体ＩＤに該当するメタ情報を管理情報ＤＢから検索し，該当する番組ＩＤ，記録媒体ＩＤのメタ情報が存在した場合（Ｓ２０４１），管理サーバ１０６は，その最新のメタ情報を管理情報加工装置１０３に送信する（Ｓ２０４３）。
【０２６１】
一方，該当する番組ＩＤ，記録媒体ＩＤが存在しない場合（Ｓ２０４１），管理情報加工装置１０３の画面上にエラーメッセージ等が表示され，利用者に事前処理を実行するよう促す（Ｓ２０４４）。
【０２６２】
次に，管理情報加工装置１０３は，管理サーバ１０６からメタ情報を受信すると，画面上にメタ情報を表示し，利用者からの指示に応じて，加工部５６２は表示しているメタ情報に対して変更，削除などの加工処理を実行する（Ｓ２０４５）。なお，上記メタ情報の加工処理については，図１４，図１５等で説明した通りである。
【０２６３】
次に，管理サーバ１０６は，管理情報加工装置１０３から加工されたメタ情報を受信すると（Ｓ２０４７），そのメタ情報を基にして，既に管理情報ＤＢに格納されているメタ情報を最新の状態に更新する（Ｓ２０４９）。例えば，管理サーバ１０６がテイクメタ情報を受信すれば，管理情報ＤＢに格納されたテイクメタ情報が最新の状態に更新される。
【０２６４】
以上，第１の実施の形態にかかるコンテンツ管理システム１００の説明を終了するが，かかるコンテンツ管理システム１００が提供されることによって，以下に示すような優れた効果が存在する。
（１）コンテンツの二次利用のために，例えば，契約や，著作権などの権利処理のために必要な情報を整備することで実際の権利クリア処理を効率的に行うことができる。なお従来では，完パケの映像や赤入れした後の台本をスクリプター等のスタッフが目視し確認しながら行う必要があり，非常に困難な作業であった。
（２）各コンテンツ素材が記録された記録媒体の最新のセグメント情報（シーン，カット，テイク）を管理サーバ１０６で一元的に管理することで管理情報加工装置１０３や撮像装置１０１が複数ある場合にも常に最新の状態でメタ情報を共有することができる。
（３）管理情報加工装置１０３は，撮像装置１０１から送信されるテイクメタ情報を基に管理サーバ１０６上でリアルタイムに更新される正確なタイムコード情報を取得し，予め取得した台本データ，シーンメタ情報，カットメタ情報と連携させて編集を行うことができる。上記編集は取得済みの台本データ，シーンメタ情報等のメタ情報に対して発生した変更を利用者のクリックなどによる簡単な操作で反映可能なＧＵＩを画面上に表示することによって行われる。したがって，撮影現場で，例えば，シーンメタ情報，カットメタ情報の内容を見ながらリアルタイムに最新の情報を簡便に加工・設定登録することができる。
（４）管理情報加工装置１０３で更新された情報を再度管理サーバ１０６に送信し，常に最新のメタ情報で統合し，映像の編集時にはＯＫシーン，ＯＫカット，ＯＫテイクなど採用された映像の開始点（イン点）・終了点（アウト点）を基に編集後の映像に対応したメタ情報を自動的に抽出し完パケ用のメタ情報として生成することができる。したがって，最終コンテンツデータ（完パケ）が完成した段階で，コンテンツの二次利用に必要な各種権利情報等の属性情報が整った状態になり，ＶＯＤサービスなどさらに幅広い用途にコンテンツを容易に迅速に利用することができる。
（５）台本（脚本）の段階で既に出演者の契約内容，著作者隣接権などの情報（属性情報）が管理サーバ１０６内に保存してあるため，完パケ前後，二次使用のためのコンテンツ制作前後など，いかなるタイミングでもコンテンツの属性情報を迅速かつ的確に確認することができる。
（６）著作権等の属性情報がカットメタ情報等と一緒にメタ情報として保存されることにより，従来では紙媒体などで管理されていた契約などの権利情報を，画面上で瞬時に参照することができ，従来ではコンテンツを一部始終確認してから権利者への使用許諾などの契約処理を行っていた非効率な作業を，コンテンツ管理システム１００により効率的に行うことができる。
（７）最終的に生成される完パケに対応するメタ情報には，撮影で生成された正確なタイムコードと各シーン（又は，各カット）のメタ情報とが対応付けられているため，任意のテンプレートと組み合わせて，各シーンとその映像との関係が視認しやすいように整形処理を行い，完パケのためのコンテンツに対して正確なメタ情報などを作成することができる。
（８）シーン，カット，テイクなどのセグメント（区切り）の単位で各種のメタ情報を出力することができるため，コンテンツの一部分について映像等を提供するサービスを時刻する場合でも，その一部分に係る属性情報を基にして，利用者は効率的に権利処理等を行うことができる。
（９）あるコンテンツのうち特定の出演者が登場するシーンだけを部分的にコンテンツを抽出し，そのコンテンツを二次利用する場合であっても，コンテンツを一部始終確認しなくとも，その特定の出演者が登場するシーンの検索を，属性情報等を基に検索し，スタッフは契約の依頼をすることができる。例えば，ＤＶＤなどパッケージ化されたコンテンツにおける部分検索や，複数のコンテンツデータからダイジェスト映像集や総集編を作成する際の効率的なコンテンツ素材（シーン，カット）の検索や，完パケに存在しないコンテンツ素材からカットを取捨選択して制作するディレクターズカット（映画）の各カット又は各シーンに登場する出演者との契約の有無等の検索を，利用者は効率的に実行し，画面上で検索結果を確認することができる。
【０２６５】
（第２の実施形態）
次に，図２３を参照しながら，第２の実施の形態にかかるコンテンツ管理システム１００ａについて説明する。図２３は，第２の実施の形態にかかるコンテンツ管理システムの概略的な構成を示すブロック図である。
【０２６６】
なお，第２の実施の形態に係るコンテンツ管理システム１００ａに係る説明では，第２の実施の形態にかかるコンテンツ管理システム１００ａと，第１の実施の形態にかかるコンテンツ管理システム１００とを比較し，特に相違する点について説明する。その他については，特段の記載が無い場合，実質的に同一であるため詳細な説明は省略する。
【０２６７】
図２３に示すように，第２の実施の形態にかかるコンテンツ管理システム１００ａでは，第１の実施の形態にかかるコンテンツ管理システム１００と比べて，撮影に登場する出演者や，物品などに無線ＩＣタグ２３１が具備されており，撮影の際に撮像装置１０１ａがその無線ＩＣタグからの情報を取得する点で異なっている。
【０２６８】
したがって，第２の実施の形態にかかるコンテンツ管理システム１００ａの概略については以下に示す（１）〜（６）の順番通りとなる。
（１）初期メタ情報登録
（２）無線ＩＣタグに被写体識別情報格納
（３）映像撮影
（４）初期メタ情報取得
（５）テイクメタ情報取得
（６）メタ情報更新
【０２６９】
まず，上記（１）初期メタ情報登録では，第１の実施の形態にかかるコンテンツ管理システム１００と同様に，コンテンツ素材や完パケなどコンテンツに関する多様な情報を管理するための管理情報が生成される。初期メタ情報としての管理情報には，シーンメタ情報の他に，台本や香盤表等の電子化された台本データ等を例に挙げることができる。
【０２７０】
上記コンテンツ素材は，例えば，撮像装置１０１ａにより撮像されたコンテンツデータそのままであり，編集などの加工処理がまだ施されていない状態の映像をいうが，かかる例に限定されない。
【０２７１】
なお，撮像装置１０１ａは，被写体を撮影し，記録媒体に映像を記録可能な装置である。したがって，上記撮像装置１０１ａは，撮像装置または記録装置の少なくとも一方の機能を備えた装置である。上記撮像装置１０１ａは，放送用のニュース番組の取材や，スポーツなどの試合の模様や，映画などのコンテンツ素材の撮影に使用される装置である。なお，撮像装置１０１ａは，その場で撮影した映像を確認するために再生機能を具備しても良い。第１の実施の形態にかかる撮像装置１０１についても同様である。
【０２７２】
上記（２）無線ＩＣタグ２３１に被写体識別情報格納では，出演者や撮影に使用される美術品等を識別可能な被写体識別情報を無線ＩＣタグ２３１に撮影前，予め記憶しておく。上記被写体識別情報を記憶した無線ＩＣタグ２３１は，例えば，出演者の衣類や外部から見えない部分に付けられる。
【０２７３】
なお，第２の実施の形態にかかる無線ＩＣタグ２３１には，上記被写体識別情報が記録される場合を例にあげて説明するが，かかる例に限定されず，例えば，無線ＩＣタグ２３１には，被写体識別情報とともに，被写体の属性情報（名前，出演者であればプロフィール，著作権等の権利情報など）が，記録される場合であっても実施可能である。
【０２７４】
上記（３）映像撮影では，撮像装置１０１ａを用いて各シーン，各カットごとに撮影を行う。撮影の際に，撮像装置１０１ａは，ビューファインダー４１９内に収まる上記出演者や美術品等の被写体に付された無線ＩＣタグから被写体識別情報を取得する。
【０２７５】
つまり，撮像装置１０１ａは，撮影したコンテンツに構成されるフレームに写っている被写体については，全て無線ＩＣタグ２３１から被写体識別情報を取得し，フレーム内に登場していない被写体については無線ＩＣタグ２３１から情報を取得しない。
【０２７６】
また，撮像装置１０１ａは，タイムコード（日時情報コード）を生成し，上記無線ＩＣタグから被写体識別情報を取得したタイミングに対応するタイムコードと，その被写体識別情報とを含んだテイクメタ情報を生成する。つまり，被写体識別情報の取得タイミングに従って，タイムコードと被写体識別情報とが関連付けられてテイクメタ情報が生成される。
【０２７７】
なお，上記シーンは，１又は２以上のカットを組み合わせたものである。上記カットは，切れ目なしにシームレスに撮影（又は，撮像）された場面（又は，動画像）をいう。さらに編集する段階におけるカットは，イン点からアウト点までの場面である。
【０２７８】
上記テイクは，一つのカットの一回分の撮影をいう。なお，一つのカットに対し，１又は２回以上撮影する場合があり，そのうちから一つ選択されたテイクをＯＫテイクなどと定義する。
【０２７９】
撮像装置１０１ａは，撮影したコンテンツ素材を，内蔵するハードディスクドライブ（ＨＤＤ）等の記憶手段，撮像装置１０１ａで使用可能なメモリカード，光ディスクなどの記憶媒体などに書き込み，記憶させる。
【０２８０】
また，撮像装置１０１ａは，撮影したコンテンツ素材の記録とともに，例えば，上記テイクメタ情報等のメタ情報を上記コンテンツ素材よりも低解像度のコンテンツデータと一緒にＭＸＦ（Ｍａｔｅｒｉａｌ  ｅＸｃｈａｎｇｅ  Ｆｏｒｍａｔ）形式で記録することができるが，かかる例に限定されず，例えば，撮像装置１０１ａは，上記ＭＸＦ形式のデータをネットワークを介してサーバ等の外部記憶装置に転送することにより，そのデータが記録される場合等でもよい。
【０２８１】
なお，本実施の形態にかかる撮像装置１０１ａは，撮影したコンテンツ素材をその場で再生することが可能な再生機能を備えている。したがって，撮像装置１０１ａは，テイクで撮影したコンテンツ素材を撮像装置１０１ａに備わるビューファインダー４１９又は液晶ディスプレイに表示することができる。
【０２８２】
上記（４）初期メタ情報取得では，管理情報加工装置１０３ａが，管理情報生成装置１０２ａによって管理サーバ１０６ａａに登録された管理情報（初期メタ情報（シーンメタ情報，カットメタ情報など））を，ネットワーク１０５ａを介して取得する。
【０２８３】
上記（５）テイクメタ情報取得では，管理情報加工装置１０３ａが，撮像装置１０１ａにより生成されたテイクメタ情報を管理サーバ１０６ａａを介して取得する。なお，管理情報加工装置１０３ａは，上記管理サーバ１０６ａａを介さずとも撮像装置１０１ａから有線／無線問わずケーブルを介してテイクメタ情報を取得しても良い。
【０２８４】
上記（６）メタ情報更新では，管理情報加工装置１０３ａが，取得した管理情報（初期メタ情報：シーンメタ情報，カットメタ情報）を，テイクメタ情報を基にして順次加工しながら更新する。
【０２８５】
本実施の形態では，コンテンツデータは，複数のフレームが連続して構成される動画（ビデオ）データ及び／又は音声（オーディオ）データである。
【０２８６】
コンテンツは，上記説明のように，動画及び／又は音声であるが，より具体的には放送番組や映画などを例示することができ，さらには写真や絵画など所定時間のフレーム全て同じ画像が連続する静止画像データ，ラジオ番組などの音声データ，またはそれらの組合せから構成されるデータである。
【０２８７】
また，図２３に示す管理サーバ１０６ａａは，管理情報生成装置１０２ａから送信されるシーンメタ情報等を含んだ管理情報を受信し，コンテンツごとに管理情報データベース（以下，ＤＢ）に格納する。したがって，管理情報ＤＢには管理情報が各コンテンツごとに格納される。
【０２８８】
ネットワーク１０５ａは，例えば，ＦＤＤＩ（Ｆｉｂｅｒ  Ｄｉｓｔｒｉｂｕｔｅｄ  Ｄａｔａ  Ｉｎｔｅｒｆａｃｅ）などの光ファイバ網をはじめ，ＩＥＥＥ８０２．１１ａ規格などの無線，ＲＳ−２３２Ｃ，またはＲＳ−４２２などの有線から構成される。また，衛星通信などから構成することも可能である。
【０２８９】
次に，第２の実施の形態にかかるコンテンツ管理システム１００ａを応用した応用例については，上記説明の図２に示すコンテンツ管理システム１００を応用した応用例と，ほぼ同様な構成であるため，詳細な説明は省略する。
【０２９０】
（撮像装置１０１ａについて）
次に，図２４〜図２６を参照しながら，第２の実施の形態に係る撮像装置１０１ａについて説明する。図２４〜図２６は，第２の実施の形態にかかるコンテンツ管理システムに備わる撮像装置の概略的な構成を示すブロック図である。
【０２９１】
図２４に示すように，撮像装置１０１ａは，無線ＩＣタグ２３１（２３１−１，２３１−２，２３１−３，…）からの無線を受信し，被写体識別情報を取得するリーダ／ライタブロック４０１をさらに備えている点で，第１の実施の形態にかかる撮像装置１０１と異なる。
【０２９２】
上記リーダ／ライタブロック４０１には，外部からの電波を受信する／外部に対して電波を送信するアンテナ５８１と，外部からの電波を同調し復調し情報を取得する／情報を変調しアンテナ５８１に伝送する制御回路５８３とが備わっている。
【０２９３】
ここで，本実施の形態に係る無線ＩＣタグ２３１の特徴は，非接触通信が可能であること，所定の金属等を除いて通信に透過性を有すること，アンチコリジョン（衝突防止）機能を有して複数の無線ＩＣタグ２３１から複数の情報を一括してリーダ／ライタブロック４０１に送信することができること等を例示できる。
【０２９４】
また，無線ＩＣタグ２３１のデータ伝送方式には，電波方式が適用されているため，通信距離（又は，交信距離）が長く，指向性があるため通信エリアを限定することができる。即ち，撮像装置１０１ａが備えるアンテナ５８１を指向性アンテナにすることによって，撮像装置１０１ａのレンズが向けられた方向に存在する１又は２以上の無線ＩＣタグ２３１からの電波をアンテナ５８１は的確に受信することができる。なお，かかる電波方式に限らず，例えば，上記通信距離や指向性などの条件を満たせば，他の如何なる方式による場合でも実施可能である。
【０２９５】
さらに，ズームに応じて撮像部４０７が撮像する画面範囲（フレーム範囲）が変動しても，アンテナ５８１が有する指向性の特性と，撮像装置１０１ａの撮像部４０７が有するズームの特性とを利用して，上記画面範囲内に存在する無線ＩＣタグ２３１からの電波をアンテナ５８１が的確に受信できるように，カメラコントローラ４１３やＣＰＵ４１８や制御回路５８３がアンテナ５８１の通信エリアを調整する。
【０２９６】
より具体的には，例えば，ズームインした場合，制御回路５８３は，ズームの倍率に応じてアンテナ５８１が受信する電波の通信エリアを狭くしたり，ズームアウトした場合，アンテナ５８１が受信する電波の通信エリアを広くしたりするが，かかる例に限定されない。
【０２９７】
したがって，撮影時にズームイン又はズームアウトなどして撮影倍率が変更しても，撮像装置１０１ａが備えたビューファインダー４１９又はディスプレイ等に映し出される被写体が有する無線ＩＣタグ２３１からの電波を漏らさずに，また通信エリア以外の不要な電波を受信してしまうのを防いで，アンテナ５８１は受信することができる。なお，編集時などで後程，ユーザが手動で無線ＩＣタグ２３１からの情報を追加・削除などすることができる。
【０２９８】
なお，第２の実施の形態にかかるリーダ／ライタブロック４０１は，撮像装置１０１ａに内蔵された場合を例に挙げて説明したが，かかる例に限定されず，例えば，リーダ／ライタブロック４０１は，撮像装置１０１ａの外側に接続される場合（外付けの場合）でも実施可能である。
【０２９９】
図２５に示すカメラブロック４０２は，撮像部４０７と，ビデオプロセッサ４０８と，ビデオ圧縮部４０９と，ビデオインタフェース４１０と，データバス４１１と，カメラコントローラ４１３と，カメラコントローラインタフェース４１２と，ビデオプロセッサインタフェース４１４と，操作部インタフェース４１５と，操作部４１６と，メモリ部４１７と，ＣＰＵ（中央演算処理装置）４１８と，ビューファインダー４１９と，ビューファインダーインタフェース４２０と，レコーダインタフェース４２１とを備えるが，上記説明した第１の実施の形態にかかるカメラブロック４０２とほぼ同様な構成であるため詳細な説明は省略する。
【０３００】
次に，図２６に示すレコーダブロック４０３ａは，マーク生成部４０４と，テイクメタ生成部４０５ａと，記録部４０６と，マイクロフォン４２２と，オーディオプロセッサ４２３と，オーディオインタフェース４２４と，オーディオプロセッサインタフェース４２５と，カメラインタフェース４２６と，通信部４２７と，日時情報コード生成部４２８と，ＬＣＤ表示インタフェース４３０と，ＬＣＤ表示４２９と，メモリカードインタフェース４３１と，メモリ部４３２と，ＣＰＵ４３３と，サムネイル生成部４５１と，ＩＤ生成部４５０とを備える。
【０３０１】
テイクメタ生成部４０５ａは，リーダ／ライタブロック４０１の制御回路５８３から被写体識別情報を受け取ると，その受け取ったタイミングに生成された日時情報コード生成部４２８からのタイムコードと被写体識別情報とを対応付けてテイクメタ情報を生成する。なお，日時情報コード生成部４２８は，撮影中，リアルタイムにタイムコード（日時情報コード）を生成するが，かかる例に限定されず，１０秒ごと１分ごとに，または外部操作（例えば，入力ボタンの押下）などにあわせた不定期のタイミングなど任意のタイミングで，タイムコードを生成しても良い。
【０３０２】
なお，テイクメタ生成部４０５ａにより生成されたテイクメタ情報は，ネットワーク１０５を介して管理サーバ１０６ａに送信されるか，記録媒体１０４に記録されるか，または管理情報加工装置１０３に送信される。
【０３０３】
また，テイクメタ生成部４０５ａは，上記被写体識別情報と，タイムコードのほかに，撮像した際のズーム倍率など撮像に関連する撮像情報等をテイクメタ情報に含ませても実施可能である。
【０３０４】
さらに，テイクメタ生成部４０５ａは，例えば，予め管理情報生成装置１０２により生成された管理情報に含まれるシーンメタ情報，カットメタ情報を基にして，撮影したコンテンツ素材の映像を基にして自動的にテイクメタ情報を生成してもよい。
【０３０５】
自動的にテイクメタ情報を生成するためには，テイクメタ生成部４０５ａは，コンテンツ素材の画像解析を行うことで，シーン又はカットを特定し，その特定したシーン又はカットに対応するシーンメタ情報又はカットメタ情報を基にして，テイクメタ情報等を生成する。
【０３０６】
日時情報コード生成部４２８は，撮像時に年，月，日，及び時間などからなる日時情報コード（タイムコード）のタイムカウントを行い，コンテンツデータのフレームごとに生成された上記タイムコードを付加する。なお，本実施形態にかかるタイムコードは，コンテンツデータのフレームを識別可能であれば，かかる例に限定されず，例えば，年，月，日，もしくは時間のうち少なくとも一つからなる情報コードや，コンテンツデータの先頭フレームからフレームにフレーム番号や，ＦＴＣ（フレーム  タイム  コード）を付加する場合等であっても実施可能である。なお，ＦＴＣは，先頭フレームからのフレーム番号をタイムコード形式に表示したものである。
【０３０７】
コンテンツ映像は，例えば１秒間で３０枚のフレームで構成される場合，フレーム値は，００から２９フレームの範囲である。時間は２４時間時計で昇順にカウントされる循環体系となっている。
【０３０８】
より具体的には，タイムコードは，“０５／１０／２３／０９：４３：５２：０１”（２００５年１０月２３日９時４３分５２秒０１の意）などのようなものを例示できる。上記タイムコードは，かかる例に限定されず，例えば，“０５：１０：２３：０９：４３：５２：０１”などのように表記される場合であっても実施可能である。
【０３０９】
また，図２６に示す管理ブロック４０６は，ドライブインタフェース４３５と，コンテンツデータ及びテイクメタ情報を光ディスク又はメモリ部４３２に記録する又は再生するためのデータ形式に変換するデータプロセッサ４３７と，コンテンツデータ及びテイクメタ情報を読み／書きするためレーザーの発生及び受光部（図示せず。）を制御するピックアップコントロール４３６と，再生／記録するために光ディスク１０４を着脱制御するローディングメカニズムコントローラ４３８と，メカニズムインタフェース４３９とを備えるが，第１の実施の形態にかかる管理ブロック４０６とほぼ同様な構成であるため詳細な説明は省略する。
【０３１０】
（被写体識別情報の取得）
次に，上記説明したが，図２７を参照しながら，撮像装置１０１ａが被写体識別情報を取得する処理について簡単に説明する。図２７は，第２の実施の形態にかかる撮像装置１０１ａが被写体識別情報を取得する処理の概略を示す説明図である。
【０３１１】
図２７に示すように，所定倍率で撮影している撮影画面２７１内に登場している出演者各々は，無線ＩＣタグ２３１（２３１−１，２３１−２，２３１−３）を身に付けている。なお，仮に上記無線ＩＣタグ２３１−１〜２３１−３以外の無線ＩＣタグ２３１を身に付けている出演者，または，無線ＩＣタグ２３１が付されたアクセサリーや家具等の大道具，小道具などが登場していたとしても，撮影画面２７１を外れているため被写体識別情報を取得する対象外となる。なお，撮影画面２７１は，例えば，ビューファインダー４１９に映像が表示されている画面範囲を示すが，かかる例に限定されない。
【０３１２】
リーダ／ライタブロック４０１のアンテナ５８１は無線ＩＣタグ２３１から出演者情報（被写体識別情報）を電波で受信する。制御回路５８３は，アンテナ５８１から送信される電波のうち撮像部４０７の撮影ズームに対応する通信エリア内の電波だけを復調し，出演者情報を取得する。なお，制御回路５８３は，撮像部４０７のズーム等を制御するカメラコントローラ４１３からズーム倍率等の情報を予め取得しておく。
【０３１３】
リーダ／ライタブロック４０１から被写体識別情報を取得し，その取得したタイミングに生成された日時情報コード生成部４２８からのタイムコードと当該被写体識別情報とを関連付けて，テイクメタ生成部４０５ａは，テイクメタ情報を生成する。
【０３１４】
既に説明したように，生成されたテイクメタ情報は，記録媒体１０４に記録される，または，管理サーバ１０６ａ等に転送される。
【０３１５】
（管理情報加工装置１０３ａ）
次に，図２８を参照しながら，第２の実施の形態にかかる管理情報加工装置１０３ａについて説明する。なお，図２８は，第２の実施の形態にかかる管理情報加工装置１０３ａの概略的な構成を示すブロック図である。
【０３１６】
図２８に示すように，管理情報加工装置１０３は，ＣＰＵ（又は，制御手段）５５１と，入力部５５２と，出力部５５３と，通信部５５４と，メモリ部５５５と，ストレージ装置５５６とを備える。
【０３１７】
なお，第２の実施の形態にかかる管理情報加工装置１０３ａに備わるＣＰＵ５５１と，入力部５５２と，出力部５５３と，通信部５５４と，メモリ部５５５と，ストレージ装置５５６は，第１の実施の形態にかかる管理情報生成装置１０２に備わるものと，ほぼ実質的に同様であるため，詳細な説明は省略する。
【０３１８】
上記ストレージ装置５５６には，テイクメタ情報取得部５６０と，テイク関連付け部５６１と，加工部５６２と，画面情報生成部５６３ａと，登場率計算部５６５と，各種プログラム又はデータが記憶されている。
【０３１９】
テイクメタ情報取得部５６０は，プログラムモジュールであって，撮像装置１０１ａにより生成されたテイクメタ情報を取得するプログラムである。
【０３２０】
テイク関連付け部５６１は，上記テイクメタ情報取得部５６０によって取得されたテイクメタ情報と，カットメタ情報又はシーンメタ情報とを関連付けるプログラムモジュールである。
【０３２１】
テイク関連付け部５６１は，テイクメタ情報に記載されたコンテンツを特定するＩＤと，予めシーンメタ情報又はカットメタ情報に記載されているコンテンツを特定するためのＩＤ（番組ＩＤなど）とが同一であると判断した場合，それらのメタ情報とテイクメタ情報とを関連付ける。
【０３２２】
加工部５６２は，取得したテイクメタ情報，カットメタ情報，またはシーンメタ情報等の各種データを，利用者からの入力に従い，適宜情報を追加，変更，または削除するプログラムモジュールである。
【０３２３】
画面情報生成部５６３ａは，シーンメタ情報又はカットメタ情報を画面上に表示するための表示画面データを生成するプログラムモジュールである。また，画面情報生成部５６３ａは，例えば，シーンメタ情報又はカットメタ情報と関連付けられた属性情報については，その情報項目について表示態様を他のものと変更したり，被写体識別情報に対応する項目の表示態様を変更したり（強調表示），または被写体ごとに求められた登場回数（又は，登場率）を表示したりする。
【０３２４】
登場率計算部５６５は，取得したテイクメタ情報に含まれる被写体識別情報を基にして，各被写体のシーン又はカットに登場する割合を求めるプログラムモジュールである。詳細は後述するが，登場率計算部５６５は，例えば，１カット分の映像に構成された全フレームを分母として，被写体識別情報を取得したタイミングに対応するフレームの総数を分子として，その全フレーム中に占める上記対応フレームの割合を被写体の登場率として算出する。その登場率を各被写体ごとに登場率計算部５６５が求める。なお，被写体の登場率に限定されず，例えば，登場率計算部５６５は，被写体の登場回数などを求めてもよい。
【０３２５】
なお，上記説明した管理情報加工装置１０３ａにインストールされたアプリケーションは，管理サーバ１０６ａにインストールしても実施可能である。つまり，管理情報加工装置１０３ａ側で上記編集処理（又は，加工処理）を実行してもよいし，管理サーバ１０６ａ側で上記編集作業（又は，加工処理）を実行しても良い。
【０３２６】
なお，第２の実施の形態にかかる管理情報加工装置１０３ａ又は管理サーバ１０６ａに備わる各種データを通信でやり取りしながら処理を行う機能などは，それぞれどちらに備わっていても実施可能である。即ち，管理情報加工装置１０３ａに備わる各部は，管理サーバ１０６ａに備わっている場合でも良く，または，管理サーバ１０６ａに備わる各部は，管理情報加工装置１０３ａに備わる場合でも良い。
【０３２７】
（コンテンツ管理システムにおける動作説明）
次に，図２９以降を参照しながら，第２の実施の形態に係るコンテンツ管理システムにおける動作について説明する。図２９〜図３１は，第２の実施の形態にかかるコンテンツ管理システムの動作の概略を示すフローチャートである。
【０３２８】
なお，以降に説明する第２の実施の形態にかかるコンテンツ管理システムにおける動作については，第１の実施の形態にかかるコンテンツ管理システムにおける動作との相違点について記載し，その他の部分については，特段記載の無い場合，ほぼ同様であるとして詳細な説明を省略する。
【０３２９】
（事前処理）
まず，図２９を参照しながら，本実施の形態に係るコンテンツ管理システムにおける事前処理について説明する。
【０３３０】
図２９に示すように，事前処理では，まず，管理情報生成装置１０２は，撮影前に用意された台本の情報を電子化し，メタ情報として管理サーバ１０６ａに備わる管理情報ＤＢに格納する（Ｓ２００１）。
【０３３１】
例えば，管理情報生成装置１０２は，コンテンツが放送番組であれば放送番組の編成情報に相当する情報を登録する（Ｓ２００１）。なお，コンテンツのＩＤを番組ＩＤとしているが，かかる例に限定されない。
【０３３２】
上記ステップＳ２００１で管理情報ＤＢに格納される主な情報は，例えば，台本中でシーン毎に香盤表として用意された情報，出演者，大道具，小道具などを識別する被写体識別情報，出演者名，役名などの情報，放送番組であれば放送時間等の編成情報，映画であれば上映時間等の情報などを含む。
【０３３３】
また，メタ情報として管理情報ＤＢに格納される際に，管理情報生成装置１０２のカットメタ情報生成部５１０が生成したカットメタ情報や，カットメタ情報等と関連付けられた属性情報等もメタ情報に含まれる。さらに，無線ＩＣタグ２３１のメモリ２３３に被写体識別情報の他に，被写体に関する属性情報が格納され，その被写体に関する属性情報が上記カットメタ情報やシーンメタ情報に関連付けられても良い。
【０３３４】
次に，管理情報生成装置１０２（カットメタ情報生成部５１０又はシーンメタ情報生成部５１２）は，番組ＩＤに対応付けられた台本データを基にして，シーンメタ情報を生成し，それらのメタ情報を管理サーバ１０６ａに登録する（Ｓ２００３）。なお，管理情報生成部１０２は，シーンにおけるカットが複数存在する場合，まずカットメタ情報を生成する。
【０３３５】
次に，上記登録された台本データに記述された出演者名や物品名などを基にして管理情報生成装置１０２は，被写体識別情報を生成し，上記被写体識別情報を無線ＩＣタグ２３１のメモリ２３３に格納する（Ｓ２００４）。なお，管理情報生成装置１０２は，メモリ２３３に被写体識別情報に限らず，さらに出演者名や役名などの属性情報を格納してもよく，また管理情報生成装置１０２は，無線ＩＣタグ２３１のメモリ２３３に情報を読書き可能なリーダライタ（図示せず）を内蔵又は外付けすることで備えている。
【０３３６】
上記管理情報生成装置１０２により無線ＩＣタグ２３１のメモリ２３３に被写体識別情報等の情報が記録されると，その無線ＩＣタグ２３１を出演者自身または出演者が身に付けるアクセサリーなどに付す。小道具等であれば物品に無線ＩＣタグ２３１を付ける。
【０３３７】
撮像装置１０１ａは，管理サーバ１０６ａに登録された番組ＩＤと同じＩＤを撮像装置１０１ａ側にも登録する（Ｓ２００５）。なお，撮像装置１０１ａは，管理サーバ１０６ａの管理情報ＤＢから番組ＩＤ等を含んだシーンメタ情報等を受信することで，上記番組ＩＤ等を設定しても良い。
【０３３８】
次に，撮像装置１０１ａは，記録媒体を特定するためのＩＤを生成し，自装置内に登録する（Ｓ２００７）。なお，上記記録媒体ＩＤは上記説明したように，日時や場所などをＩＤに含ませる手法などが挙げられる。
【０３３９】
次に，管理情報加工装置１０３は，後続の処理でメタ情報を加工する対象の番組ＩＤを設定する（Ｓ２００９）。なお，上記番組ＩＤは，管理サーバ１０６ａに備わる管理情報ＤＢに格納されたメタ情報を受信した際に設定されても良く，かかる場合，番組ＩＤの設定を省略することができる。
【０３４０】
次に，管理情報加工装置１０３は，管理サーバ１０６ａに番組ＩＤを指定して，その番組ＩＤに対応するメタ情報を要求する（Ｓ２０１１）。
【０３４１】
管理情報加工装置１０３からメタ情報の要求があると（Ｓ２０１１），管理サーバ１０６ａは，該当するメタ情報を管理情報ＤＢから検索し，データが存在すれば（Ｓ２０１５），管理サーバ１０６ａは，管理情報加工装置１０３に上記番組ＩＤに対応する台本データや，シーンメタ情報，カットメタ情報等のメタ情報を送信する（Ｓ２０１７）。
【０３４２】
一方，管理情報ＤＢにデータが存在しない場合（Ｓ２０１５），管理情報ＤＢに該当するコンテンツ（番組）が未登録であると判断され（Ｓ２０１６），管理情報加工装置１０３には，エラーメッセージが送信され，画面上に表示される。したがって，管理情報生成装置１０２によりコンテンツの登録等の事前処理が行われる（Ｓ２００１〜）。
【０３４３】
次に，図３０に示すように，撮像装置１０１ａは，撮影時，テイク単位にシーン番号，カット番号，テイク番号を生成し，さらにはタイムコードを生成することによって，テイクメタ情報を生成する（Ｓ２０１９ａ）。上記生成されたシーン番号等は，例えば，テイクメタ情報に含まれるが，かかる例に限定されない。
【０３４４】
（撮像装置１０１ａによる撮影時の動作について）
ここで，図３２を参照しながら，第２の実施の形態にかかる撮像装置１０１ａによる撮影時の動作について説明する。なお，図３２は，第２の実施の形態にかかる撮像装置１０１ａによる撮影時の動作の概略を示すフローチャートである。
【０３４５】
図３２に示すように，まず撮影者は，台本データに記述された通りに，撮像装置１０１ａのビューファインダー４１９を見ながら撮影範囲を定める（Ｓ２１０１）。撮影範囲を調整する際には例えば，ズームボタンなどのズームを調整するための入力手段が撮影者により操作される。
【０３４６】
撮影範囲が決定すると（Ｓ２１０１），撮像装置１０１ａに備わるカメラコントローラ４１３はＣＰＵ４１８に対し決定したズーム倍率を伝達すると，ＣＰＵ４１８はそのズーム倍率をリーダ／ライタブロック４０１の制御回路５８３に送信する。
【０３４７】
制御回路５８３は当該制御回路５８３に内蔵又は外部に備え付けのメモリ（図示せず）に格納された送受信範囲テーブルを参照して，受信したズーム倍率に対応するアンテナ５８１の送受信範囲を決定する。送受信範囲テーブルは，ズーム倍率と，そのズーム倍率における撮影範囲に存在する無線ＩＣタグ２３１と最も漏れなく通信可能な範囲を示すアンテナ５８１の送受信範囲とを，対応付けたアンテナ５８１の指向性に関するテーブルである。
【０３４８】
なお，上記送受信範囲テーブルは，リーダライタブロック４０１又は制御回路５８３に備わるメモリに格納され，制御回路５８３がズーム倍率に対応するアンテナ５８１の送受信範囲を決定する場合を例に挙げて説明したが，かかる例に限定されず，例えば，カメラブロック４０２に備わるメモリ部４１７に上記送受信範囲テーブルを格納し，ＣＰＵ４１８がズーム倍率を基にアンテナ５８１の送受信範囲を決定してもよい。
【０３４９】
次に，リーダ／ライタブロック４０１の制御回路５８３は，単位時間（１分，１秒，１／１６秒など）ごとにアンテナ５８１の送受信範囲内に存在する無線ＩＣタグ２３１に対し，情報取得要求（又は，ポーリング要求）を電波又は磁界に乗せて送信する（Ｓ２１０５）。なお，以下では，特段の記載がなければ，上記リーダ／ライタブロック４０１と無線ＩＣタグ２３１との間で電波又は磁界に乗せて行う通信を総称して無線通信とする。
【０３５０】
また，第２の実施の形態にかかるリーダ／ライタブロック４０１の制御回路５８３は，単位時間ごとにアンテナ５８１の送受信範囲内に存在する無線ＩＣタグ２３１に対し，情報取得要求を電波又は磁界に乗せて送信する場合を例に挙げて説明したが，かかる例に限定されず，例えば，制御回路５８３は，１フレームごと１０フレームごと３０フレームごと等のように，単位フレーム数ごとにアンテナ５８１の送受信範囲内に存在する無線ＩＣタグ２３１に対し，情報取得要求を電波又は磁界に乗せて送信してもよい。
【０３５１】
上記アンテナ５８１の送受信範囲内に無線ＩＣタグ２３１が存在していた場合，その無線ＩＣタグ２３１は無線でリーダ／ライタブロック４０１からの情報取得要求の情報をアンテナ２３７を介して受信する（Ｓ２１０７）。
【０３５２】
次に，無線ＩＣタグ２３１に備わるアンテナ２３７に，整流（電波の場合）又は共振（磁界の場合）により電力が発生する（Ｓ２１０９）。
【０３５３】
上記発生した電力により（Ｓ２１０９），制御回路２３５，メモリ２３３を作動させ，メモリ２３３に記憶された被写体識別情報を無線でアンテナ２３７から送信する（Ｓ２１１１）。
【０３５４】
なお，第２の実施の形態において，無線ＩＣタグ２３１からリーダ／ライタブロック４０１へは被写体識別情報が無線で送信される場合を例に挙げて説明したが，かかる例に限定されず，例えば，被写体識別情報の他に被写体の属性情報などがリーダ／ライタブロック４０１に送信される場合でも実施可能である。
【０３５５】
次に，リーダ／ライタブロック４０１のアンテナ５８１は，上記無線ＩＣタグ２３１のアンテナ２３７から無線を受信する（Ｓ２１１３）。
【０３５６】
リーダ／ライタブロック４０１の制御回路５８３は，アンテナ５８１で受信した無線を復調し，復調して得られた信号をデコードし，解析することによって，被写体識別情報を取得する（Ｓ２１１５）。
【０３５７】
テイクメタ生成部４０５ａは，上記ステップＳ２１１５で被写体識別情報を取得したタイミングに該当する日時情報コード生成部４２８で生成したタイムコードを取得すると，当該被写体識別情報とタイムコードとを対応付けて，それらの情報を少なくとも含んだテイクメタ情報を生成する（Ｓ２１１７）。
【０３５８】
なお，同一タイミングに複数の被写体識別情報を取得した場合，生成されるテイクメタ情報には，同一のタイムコードに対して，複数の被写体識別情報が含まれてもよい。
【０３５９】
かかる上記ステップＳ２１０１〜ステップＳ２１１７までの一連の動作は，例えば撮像装置１０１ａに備わるＲＥＣボタン押下時からＲＥＣストップボタン押下時まで等，撮影開始から撮影終了までのテイクの間，繰り返される。
【０３６０】
次に，図３０を参照すると，上記ステップＳ２０１９ａの後，撮像装置１０１ａは，上記番組ＩＤ，記録媒体を識別する映像記録媒体ＩＤ，シーン番号，カット番号，テイク番号，タイムコード，出演者ＩＤ（被写体識別情報），物品ＩＤ（被写体識別情報）などを含んだテイクメタ情報を管理サーバ１０６ａに送信し，管理サーバ１０６ａは撮像装置１０１ａからテイクメタ情報を取得する（Ｓ２０２１ａ）。なお，上記ステップＳ２０１９ａ時に生成されたテイクメタ情報にさらに番組ＩＤ等の上記複数情報が追加される。
【０３６１】
ここで，図３３を参照しながら，撮像装置１０１ａにより送信されたテイクメタ情報を管理サーバ１０６ａが受信し，テイクメタ情報をリスト化したリスト情報について説明する。図３３は，第２の実施の形態にかかるテイクメタ情報のリスト情報の概略を示す説明図である。
【０３６２】
図３３に示すように，リスト情報は，シーン番号，カット番号，テイク番号が同一のものについて，受信したテイクメタ情報に含まれるタイムコードと，被写体識別情報とを取り出して，「タイムコード」と，「被写体識別情報」の項目に各々記述する。
【０３６３】
例えば，図３３に示すように，シーン番号が「１」，カット番号が「１」，テイク番号が「１」について，タイムコードが「０５／０３／０３／０９：１０：１０：００」のタイミングでは，「被写体識別情報」に「Ａ０１」，「Ａ０２」，「Ａ０３」，「Ｂ０１」と４つの被写体識別情報が記述されている。
【０３６４】
なお，図３３に示すリスト情報は，管理サーバ１０６ａが作成する場合に限定されず，例えば，管理情報加工装置１０３ａが撮像装置１０１ａからテイクメタ情報を受信し，リスト情報を作成しても良い。
【０３６５】
図３３に示すように，リスト情報は，撮像装置１０１ａから送信されたテイクメタ情報に含まれる情報をシーン／カット／テイクごとに順に並べられたテイクメタ情報群のようなものであるが，かかる例に限定されない。
【０３６６】
なお，上記シーン／カット／テイクごとに並べるとは，シーン番号，カット番号，テイク番号のうち少なくとも一つが一致するごとに並べることである。例えば，シーン番号，カット番号，テイク番号のうちシーン番号〜テイク番号まで存在すれば，シーン番号〜テイク番号まで全て一致するごとに並べることであり，シーン番号とカット番号のみ存在すれば，シーン番号とカット番号とが一致するごとに並べることに相当するが，一例でありかかる例に限定されない。
【０３６７】
さらに，図３４を参照しながら，撮像装置１０１ａが管理サーバ１０６ａに送信する際のテイクメタ情報のデータ構造について説明する。図３４は，第２の実施の形態にかかるテイクメタ情報のデータ構造の概略を示す説明図である。
【０３６８】
図３４に示すように，第２の実施の形態にかかるテイクメタ情報には，番組を特定する番組ＩＤと，記録媒体を特定する映像記録媒体ＩＤと，シーン／カット／テイク毎のメタ情報と，単位時間ごとに無線ＩＣタグ２３１から取得した被写体識別情報と，との時のタイムコードとが含まれている。
【０３６９】
より具体的には，図３４に示す番組ＩＤは，＜ＰｒｏｇｒａｍＩｎｆｏｒｍａｔｉｏｎ＞タグのＩｄ以降に記述された“ｐｒｏ０００１”に該当し，映像記録媒体ＩＤは，＜Ｍｅｄｉａ＞タグのＩｄ以降に記述された“ｔａｐｅ０１”に該当する。
【０３７０】
また，上記シーン／カット／テイク毎のメタ情報には，＜ＳｅｇｍｅｎｔＬｉｓｔ＞タグ内の＜ＳｅｇｍｅｎｔＩｎｆｏｒｍａｔｉｏｎ＞タグ以降にシーン番号（Ｓｃｅｎｅ），カット番号（Ｃｕｔ），テイク番号（Ｔａｋｅ）が記述され，さらにシーン，カット，またはテイクの開始時刻が，ＳｔａｒｔＴｉｍｅ以降に記述されている。なお，上記シーン，カット，またはテイクの終了時刻は，例えば，次の＜ＳｅｇｍｅｎｔＩｎｆｏｒｍａｔｉｏｎ＞タグのＳｔａｒｔＴｉｍｅに記述される時刻に該当するが，かかる例に限定されない。
【０３７１】
さらに，出演者ＩＤ又は物品ＩＤなどの被写体識別情報は，＜ＴｉｍｅＬｉｓｔ＞タグ内の＜ＴｉｍｅＩｎｆｏｒｍａｔｉｏｎ＞タグ内にＩＤＬｉｓｔに記述され，タイムコードは同じく＜ＴｉｍｅＩｎｆｏｒｍａｔｉｏｎ＞タグ内のＳｔａｒｔＴｉｍｅに記述される。
【０３７２】
なお，図３４に示すテイクメタ情報は，撮像装置１０１ａが生成し管理サーバ１０６ａに送信する場合を例に挙げて説明したが，かかる例に限定されず，例えば，管理情報加工装置１０３ａが撮像装置１０１ａからテイクメタ情報を直接受信する場合でもよい。
【０３７３】
再び図３１を参照すると，図３１に示すステップＳ２０４３では，管理サーバ１０６ａは，管理情報加工装置１０３からメタ情報が要求されると，番組ＩＤ，記録媒体ＩＤに該当するメタ情報を管理情報ＤＢから検索し，該当する番組ＩＤ，記録媒体ＩＤのメタ情報が存在した場合（Ｓ２０４１），管理サーバ１０６ａは，その最新のメタ情報を管理情報加工装置１０３に送信する（Ｓ２０４３ａ）。
【０３７４】
上記ステップＳ２０４３ａで送信する上記メタ情報には，番組ＩＤ，映像記録媒体ＩＤ，シーン番号，カット番号，テイク番号，タイムコード，出演者ＩＤ（被写体識別情報），物品ＩＤ（被写体識別情報）などが含まれる。
【０３７５】
上記ステップＳ２０４３ａにおいて，最新のメタ情報（例えば，テイクメタ情報，リスト情報）を管理サーバ１０６ａから受信すると，管理情報加工装置１０３ａは，受信したリスト情報又はテイクメタ情報のうち少なくとも一方を基にして自己が記憶するメタ情報を表示する（Ｓ２０４５ａ）。画面上にメタ情報を表示する処理については，後程説明する。
【０３７６】
利用者は，画面上に表示された情報内容を参照し，適宜，管理情報加工装置１０３ａに備わる入力部５５２を操作すると，入力部５５２からの操作内容に従って，加工部５６２は，自装置が記憶するシーンメタ情報，カットメタ情報等の情報を編集し，更新することができる。
【０３７７】
より具体的には，例えば，画面上に表示される内容として，シーン／カット／テイクの各映像に登場する出演者名，物品名，ロケ地名が表示されるが，その他に，加工部５６２が当該映像に流すＢＧＭ（バック-グラウンドミュージック）の曲名などを追加するように，シーンメタ情報，カットメタ情報，テイクメタ情報を更新することができる。追加された項目名は，画面情報生成部５６３ａにより画面上に表示される。
【０３７８】
上記加工部５６２が情報を更新すると，その更新された内容は，管理サーバ１０６ａにネットワーク１０５を介して送信される（Ｓ２０４７）。
【０３７９】
管理サーバ１０６ａは，上記更新内容を自装置内のＤＢに反映し，管理情報加工装置１０３ａが保有するシーンメタ情報等の情報と同期をとる（Ｓ２０４９）。以上で，図２９〜図３２に示す一連の処理について説明を終える。
【０３８０】
ここで，図３５を参照しながら，第２の実施の形態にかかる画面上の表示処理（Ｓ２０４５ａ）について説明する。図３５は，第２の実施の形態にかかる画面上の表示処理の概略を示すフローチャートである。
【０３８１】
図３５に示すように，まず管理情報加工装置１０３ａの画面情報生成部５６３ａは，管理サーバ１０６ａから取得したシーンメタ情報，カットメタ情報を基に，一つ目のシーン／カット／テイクに対応するセグメント（又は，複数のセルの集まり）を表示する（Ｓ２２０１）。なお，画面上の表示レイアウトについては後程説明する。
【０３８２】
画面情報生成部５６３ａは，シーンに対応するセグメント，カットに対応するセグメント，テイクに対応するセグメントといったように表示する。上記セグメント内には，撮影が開始しテイクメタ情報を取得していないため，例えば出演者名，ロケ地，物品名などの項目を除き空白のままセルが画面上に表示される。
【０３８３】
なお，シーンメタ情報，カットメタ情報を管理情報加工装置１０３ａが記憶していない場合，画面情報生成部５６３ａは，所定数のシーン／カット／テイクに対応するセグメントを自動的に表示し，シーンメタ情報，カットメタ情報，テイクメタ情報を取得し次第，画面上のセグメント内に情報を反映し，再表示する。
【０３８４】
次に，管理情報加工装置１０３ａは，１フレームに相当する単位時間ごとに撮像装置１０１ａにより無線ＩＣタグ２３１から取得した出演者ＩＤ等の被写体識別情報を含むリスト情報を管理サーバ１０６ａから，５秒など所定時間ごとに取得する（Ｓ２２０３）。
【０３８５】
なお，上記ステップＳ２２０３では，管理サーバ１０６ａから所定時間ごとにリスト情報を管理情報加工装置１０３ａが取得する場合を例に挙げて説明したが，かかる例に限定されず，例えば，管理サーバ１０６ａから所定時間ごとにテイクメタ情報を管理情報加工装置１０３ａが取得してもよい。
【０３８６】
次に，画面情報生成部５６３ａは，上記ステップＳ２２０３で管理サーバ１０６ａから取得した被写体識別情報と一致する被写体識別情報が存在するか否か確認する（Ｓ２２０５）。画面情報生成部５６３ａは，例えば，被写体識別情報の確認は，記憶されたシーンメタ情報，カットメタ情報，またはテイクメタ情報に一致する被写体識別情報が記述されているか否かで判断する。
【０３８７】
上記ステップＳ２２０５で一致する情報が存在しない場合，画面情報生成部５６３ａは，項目欄（セル）を追加し，その被写体識別情報に対応する項目名（例えば，急遽登場した出演者名や物品名など）を表示する（Ｓ２２０７）。
【０３８８】
なお，上記被写体識別情報に対応する項目名は，例えば，テイクメタ情報に当該被写体の属性情報に含まれている場合，テイクメタ情報に当該被写体の属性情報がネット上に存在するロケーション情報を基に取得する場合，自装置内のストレージ装置５５６から同一の被写体識別情報に対応する項目名を取得する場合などを例示することができる。
【０３８９】
一方，上記ステップＳ２２０５で一致する情報が存在した場合，画面情報生成部５６３ａは，その被写体識別情報に対応する項目名のセルが画面上，強調表示された状態（ＴＲＵＥ状態）であるか否かを確認する（Ｓ２２０９）。
【０３９０】
なお，上記ステップＳ２２０９におけるＴＲＵＥ状態であるか否かの確認は，例えば，項目セルの画面表示が強調表示であることを示すフラグ（強調表示フラグ）の値を各項目ごとにストレージ装置５５６に記憶しておき，項目名からその強調表示フラグ値を参照し，強調表示の有無を判断するが，かかる例に限定されず，例えば，同一の被写体識別情報が，同じシーン／カット／テイク内に存在していた場合，画面情報生成部５６３ａが既にその項目は強調表示されていると判断しても良い。上記強調表示フラグの初期値は，項目セルの画面表示は強調表示されていない状態（ＦＡＬＳＥ状態）を示す値である。
【０３９１】
上記ステップＳ２２０９で項目セルが強調表示されていない状態の場合，画面情報生成部５６３ａは，該当するシーン／カット／テイクに対応するセルを強調表示するような画面情報を生成し，画面上に表示する（Ｓ２２１１）。
【０３９２】
図３５に示すように，上記ステップＳ２２０３〜Ｓ２２１１までの一連の処理が，単位時間又は単位フレームごとに，次のシーン，カット，またはテイクのうちいずれかが終了し，次のものに切換わるまで継続して繰り返される。
【０３９３】
次に，所定時間内に撮影終了した旨の情報が管理サーバ１０６ａから送信された場合（Ｓ２２１３），図３５に示す一連の画面情報加工装置１０３ａの処理が終了する。
【０３９４】
まだ終了しない場合（Ｓ２２１３），画面情報生成部５６３ａは，ステップＳ２２０１と同様に，次のシーン／カット／テイクに対応するセグメント（又は，複数のセルの集まり）を表示する（Ｓ２２１５）。以降は，上記説明のステップＳ２２０３〜ステップＳ２２１５の通りである。
【０３９５】
なお，図３５に示す第２の実施の形態にかかる画面上の表示処理では，撮像装置１０１ａにより撮影処理が行われつつ，管理サーバ１０６ａから管理情報加工装置１０３ａにリスト情報又はテイクメタ情報がリアルタイムに送信され，管理情報加工装置１０３ａの画面上に種々の情報が表示される場合を例に挙げて説明したが，かかる例に限定されず，例えば，撮影装置１０１ａによる撮影処理の終了後，一括して管理サーバ１０６ａから管理情報加工装置１０３ａにリスト情報又はテイクメタ情報が送信され，バッチ処理で管理情報加工装置１０３ａの画面上に種々の情報が表示される場合でも良い。
【０３９６】
次に，図３６を参照しながら，第２の実施の形態にかかる画面上に表示されるレイアウトについて説明する。なお，図３６は，第２の実施の形態にかかる画面上の表示レイアウトの概略を示す説明図である。
【０３９７】
図３６に示すように，画面情報生成部５６３ａにより，表示される画面の画面構成例は，セグメント単位にシーンメタ情報等のメタ情報と，出演者，物品，ロケ地名などの項目名が表示される。
【０３９８】
なお，図１４に示すレイアウトと同様に，図３６に示すセグメントは，例えば，タイムコードを基準にイン点〜アウト点が設定された範囲であって，画面上では“▼”〜“▼”の範囲をセグメントとする。また，セグメント内には各項目名に対応する複数のセルが含まれる。
【０３９９】
なお，第２の実施の形態にかかる上記セグメントの幅は，常に一定である場合，タイムコードの時間的な幅に連動して増減する場合（なお，かかる場合，実際の映像の長さを視覚的に判断することが可能である。）のいずれかの場合を利用者による設定で変更することが可能である。
【０４００】
上記説明したように，画面情報生成部５６３ａは，受信したリスト情報又はテイクメタ情報に含まれる被写体識別情報と一致する項目名が存在しないことを確認すると，図３６に示すように，項目名を追加し，その受信した被写体識別情報に該当するシーン／カット／テイクのセグメント内のセルを強調表示し，強調表示フラグの値を変更する。
【０４０１】
なお，図１６に示すように，第２の実施の形態についても，編集時にセグメント内の一部に相当するシーンメタ情報，カットメタ情報，またはテイクメタ情報を，例えば，削除した場合，その削除された部分に相当する被写体識別情報についても削除し，当該削除によって，上記削除された被写体識別情報がそのセグメント内に１つも存在しなくなった場合，その項目のセルをＦＡＬＳＥ状態に変更する（強調表示を解除する）。
【０４０２】
図３６に示すように，画像情報生成部５６３ａは，管理サーバ１０６ａから送信されるリスト情報又はテイクメタ情報を基に，リアルタイムに画面上に項目名を表示したり，項目セルの表示を強調表示に変更したり，強調表示を解除したりする。
【０４０３】
管理情報加工装置１０３ａは，シーン，カット，またはテイクの各映像に登場している出演者，物品，ロケ地，ＢＧＭなどを視覚的に区別することができる。即ち，全ての出演者，物品（大道具，小道具など），ロケ地，またはＢＧＭ等のうち，各シーン／カット／テイクに関連性（又は，登場している）のあるものを効率よく選別することができる。
【０４０４】
したがって，管理情報加工装置１０３ａにより区別された各出演者，物品，ロケ地，ＢＧＭ等の各シーン／カット／テイクについて，管理情報加工装置１０３ａは，登場する時間，登場する割合（登場率）を計算し求め，または，登場する個所などを検出することができる。かかる登場時間，登場率などを参考にすれば，改めて再編集し放送又は物販する際に著作権に関するライセンス料算出などの権利処理を効率的に公平性を保って実行することができる。なお，登場率については，後述する。
【０４０５】
また，図３６に示すような表示構成例を利用者が参照することで，利用者が各シーン／カット／テイクに関連性のある出演者，物品，ロケ地，ＢＧＭ等を容易に把握することができ，コンテンツ編集の効率性を向上させることができる。
【０４０６】
次に，図３７を参照しながら，図３５に示す画面上の表示処理の変形例について説明する。図３７は，図３５に示す画面上の表示処理の変形例の概略を示すフローチャートである。なお，以下の説明では，図３５に示す画面上の表示処理と異なる点について詳細に説明する。
【０４０７】
図３７に示す画面上の表示処理は，図３５に示す画面上の表示処理と比較して，さらに登場率をリアルタイムに算出している（Ｓ２２１２）点で異なる。
【０４０８】
上記ステップＳ２２０１で取得したリスト情報又はテイクメタ情報に含む被写体識別情報を基にして，登場率計算部５６５は，シーン／カット／テイクに当該被写体が登場する登場率を計算し，画面上にその結果を表示する（Ｓ２２１２）。
【０４０９】
より具体的には，上記登場率計算部５６５は，被写体識別情報を取得するセグメントに該当するシーン／カット／テイクの全フレーム数を，まず求める。なお，撮像装置１０１ａにより撮影中である場合，上記被写体識別情報を取得した時点のシーン／カット／テイクの全フレーム数を求める。例えば，テイクの撮影開始時刻から上記被写体識別情報を取得した時点が５秒経過しており，１秒当たり１６フレームで撮影していた場合，上記全フレーム数は，１６フレーム×５秒＝８０フレーム，であると登場率計算部５６５により求められる。
【０４１０】
全フレーム数が求められると，次に，登場率計算部５６５は，同じシーン／カット／テイク内に上記被写体識別情報を取得した回数を求める。上記取得回数が求められると，登場率計算部５６５は，上記被写体識別情報が示す被写体が登場したフレーム数（登場フレーム数）を求める。登場フレーム数は，例えば，撮像装置１０１ａが無線ＩＣタグ２３１から被写体識別情報を１フレーム単位（１／１６秒）ごとに取得していた場合，上記求めた取得回数と一致し，１６フレーム単位（１秒）ごとに取得していた場合，登場率計算部５６５は上記求めた取得回数に１６を乗算することにより求められる。その乗算して得た値が上記登場フレーム数と一致する。
【０４１１】
登場フレーム数が求められると，登場率計算部５６５は，登場フレーム数を全フレーム数で除算して得られた値を登場率として，画面上に表示する（Ｓ２２１２）。なお，詳細は後述するが，登場率計算部５６５は，上記登場率の値を直接画面上に表示してもよく，登場率をバーグラフなどに置き換えて表示しても良い。撮像装置１０１ａにより撮影が継続している場合，登場率計算部５６５は，被写体識別情報を取得する度に，新たに登場率を求めて，その登場率の値やバーグラフの態様をリアルタイムに動的に変更する。
【０４１２】
また，登場率計算部５６５は，上記バーグラフなど以外にも，例えば，時間の経過に伴い求められた登場率に応じて刻々とセルの色を変更したり，時間経過に伴い求められた登場率に応じてセルの色の彩度やセルの色の明度を刻々と変更したり，登場率を登場フレーム数／全フレーム数等のような形式で刻々と値を変更してもよい。
【０４１３】
次に，図３８を参照しながら，図３６に示す画面上に表示されるレイアウトの変形例について説明する。図３８は，図３６に示す画面上に表示される表示レイアウトの変形例を示す説明図である。なお，以下の説明では，図３６に示す画面上の表示処理と異なる点について詳細に説明する。
【０４１４】
図３８に示す画面上の表示レイアウトは，図３６に示す画面上の表示レイアウトと比較して，図３７に示すステップＳ２２１２で求めた登場率をさらに追加的に表示している点で異なる。
【０４１５】
図３８に示すように，例えば，シーン番号「１」，カット番号「１」，テイク番号「１」に該当するセグメント内では，項目名が「（出演者）俳優Ｂ」に該当するセルの場合，「★★☆☆☆☆☆☆☆☆」のように登場率が星型のバーグラフの表示形態で表示されている。なお，シーン番号「１」，カット番号「１」，テイク番号「１」の場合，全フレーム数に該当するのがセル内に表示された全ての星（☆及び★，１０個）であり，その内の相対的な登場フレーム数に該当するのがセル内に表示された★である。つまり，上記の場合，星１０個のうち２個分に相当する時間（又は，フレーム）だけ「（出演者）俳優Ｂ」が上記セグメント内にて出演していることになる。
【０４１６】
なお，図３７，図３８に示すように，登場率計算部５６５は，登場率をフレーム換算で求める場合を例に挙げて説明したが，かかる例に限定されず，例えば，登場率計算部５６５は，登場率を登場した時間換算で求める場合でも実施可能である。
【０４１７】
また，図３７，図３８に示すように，登場率計算部５６５は，登場率を求める場合を例に挙げて説明したが，かかる例に限定されず，例えば，登場率計算部５６５は，登場回数，登場時間などを求める場合であっても実施可能である。
【０４１８】
以上，第２の実施の形態にかかるコンテンツ管理システム１００ａの説明を終了するが，かかるコンテンツ管理システム１００ａが提供されることによって，以下に示すような優れた効果が存在する。
（１）シーン，カット，またはテイク各々の映像に関連している出演者，物品，ロケ地，ＢＧＭなどを効率的に区別，特定し，リアルタイムに画面上に，かかる区別，特定内容を表示することができる。
（２）各シーン／カット／テイクについて，各出演者，物品，ロケ地，ＢＧＭ等が登場する時間，登場する割合（登場率）を計算し求めることができる。かかる登場率などにより，改めてコンテンツを再編集し放送又は物販する際の著作権に関する権利処理（ライセンス料算出など）を効率的に公平性を保って実行することができる。
【０４１９】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置を撮像装置１０１，撮像装置１０１ａ，管理情報生成装置１０２，管理情報加工装置１０３，管理情報加工装置１０３ａ，管理サーバ１０６，管理サーバ１０６ａとして機能させる。
【０４２０】
上記プログラムは，コンピュータに内蔵されている記録媒体としてのハードディスクやＲＯＭ等の記録手段に予め記録しておくことができる。
【０４２１】
あるいはまた，上記プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０４２２】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを，通信部で受信し，内蔵するハードディスクにインストールすることができる。
【０４２３】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０４２４】
また，プログラムは，１のコンピュータにより処理されるものであっても良いし，複数のコンピュータによって分散処理されるものであっても良い。
【０４２５】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０４２６】
上記実施形態においては，管理情報生成装置１０２のストレージ装置５０６に記憶されたカットメタ情報生成部５１０，属性関連付け部５１１，およびシーンメタ情報生成部５１２は，１又は２以上のモジュールまたはコンポーネントから構成されるプログラムである場合を例に挙げて説明したが，かかる例に限定されず，例えば，カットメタ情報生成部５１０，属性関連付け部５１１，またはシーンメタ情報生成部５１２のうち少なくとも一つは，回路素子からなるハードウェアでも実施可能である。
【０４２７】
また，上記実施形態においては，管理情報加工装置１０３のストレージ装置５５６に記憶されたテイクメタ情報取得部５６０，テイク関連付け部５６１，加工部５６２，画面情報生成部５６３，および画面情報生成部５６３ａは，１又は２以上のモジュールまたはコンポーネントから構成されるプログラムである場合を例に挙げて説明したが，かかる例に限定されず，例えば，テイクメタ情報取得部５６０，テイク関連付け部５６１，加工部５６２，画面情報生成部５６３，または画面情報生成部５６３ａのうち少なくとも一つは，回路素子からなるハードウェアでも実施可能である。
【図面の簡単な説明】
【０４２８】
【図１】第１の実施の形態にかかるコンテンツ管理システムの概略的な構成を示すブロック図である。
【図２】第１の実施の形態にかかるコンテンツ管理システムの概略的な構成を示す説明図である。
【図３】第１の実施の形態にかかるコンテンツ管理システムに備わる撮像装置の概略的な構成を示すブロック図である。
【図４】第１の実施の形態にかかる管理情報生成装置の概略的な構成を示すブロック図である。
【図５】第１の実施の形態にかかる管理情報加工装置の概略的な構成を示すブロック図である。
【図６】第１の実施の形態にかかるコンテンツ管理システムの動作の概略を示すフローチャートである。
【図７】第１の実施の形態にかかるメタ情報の概略的な構成を示す説明図である。
【図８】第１の実施の形態にかかるコンテンツ素材が記録された記録媒体に関するＩＤとそのＩＤに対応するメタ情報の概略を示した説明図である。
【図９】第１の実施の形態にかかるメタ情報の生成の概略について示す説明図である。
【図１０】第１の実施の形態にかかるコンテンツ管理システムの動作の概略を示すフローチャートである。
【図１１】第１の実施の形態にかかるメタ情報の概略的なデータ構成を示す説明図である。
【図１２】第１の実施の形態にかかるシーンメタ情報，カットメタ情報，テイクメタ情報が画面上に表示された構成を示す説明図である。
【図１３】第１の実施の形態にかかるシーンメタ情報，カットメタ情報，テイクメタ情報が画面上に表示された構成を示す説明図である。
【図１４】第１の実施の形態にかかるコンテンツ素材とメタ情報との加工処理の概略を示す説明図である。
【図１５】第１の実施の形態にかかる粗編集・本編集のための編集画面の概略的な構成を示す説明図である。
【図１６】第１の実施の形態にかかるコンテンツ素材とメタ情報との編集の概略について示す説明図である。
【図１７】第１の実施の形態にかかるメタ情報の概略的なデータ構成を示す説明図である。
【図１８】第１の実施の形態にかかるメタ情報の概略的なデータ構成を示す説明図である。
【図１９】第１の実施の形態にかかるメタ情報の概略的なデータ構成を示す説明図である。
【図２０】第１の実施の形態に係るコンテンツ管理システムにおけるメタ情報の加工処理の概略を示すフローチャートである。
【図２１】第１の実施の形態に係るコンテンツ管理システムにおけるメタ情報の加工処理の概略を示すフローチャートである。
【図２２】第１の実施の形態に係るコンテンツ管理システムにおけるメタ情報の加工処理の概略を示すフローチャートである。
【図２３】第２の実施の形態にかかるコンテンツ管理システムの概略的な構成を示すブロック図である。
【図２４】第２の実施の形態にかかるコンテンツ管理システムに備わる撮像装置の概略的な構成を示すブロック図である。
【図２５】第２の実施の形態にかかるコンテンツ管理システムに備わる撮像装置の概略的な構成を示すブロック図である。
【図２６】第２の実施の形態にかかるコンテンツ管理システムに備わる撮像装置の概略的な構成を示すブロック図である。
【図２７】第２の実施の形態にかかる撮像装置が被写体識別情報を取得する処理の概略を示す説明図である。
【図２８】第２の実施の形態にかかる管理情報加工装置の概略的な構成を示すブロック図である。
【図２９】第２の実施の形態にかかるコンテンツ管理システムの動作の概略を示すフローチャートである。
【図３０】第２の実施の形態にかかるコンテンツ管理システムの動作の概略を示すフローチャートである。
【図３１】第２の実施の形態にかかるコンテンツ管理システムの動作の概略を示すフローチャートである。
【図３２】第２の実施の形態にかかる撮像装置による撮影時の動作の概略を示すフローチャートである。
【図３３】第２の実施の形態にかかるテイクメタ情報のリスト情報の概略を示す説明図である。
【図３４】第２の実施の形態にかかるテイクメタ情報のデータ構造の概略を示す説明図である。
【図３５】第２の実施の形態にかかる画面上の表示処理の概略を示すフローチャートである。
【図３６】第２の実施の形態にかかる画面上の表示レイアウトの概略を示す説明図である。
【図３７】図３５に示す画面上の表示処理の変形例を示すフローチャートである。
【図３８】図３６に示す画面上に表示される表示レイアウトの変形例を示す説明図である。
【符号の説明】
【０４２９】
１００      コンテンツ管理システム
１０１      撮像装置
１０２      管理情報生成装置
１０３      管理情報加工装置
１０５      ネットワーク
１０６      管理サーバ
【図１】
2007013911.tif 000003
【図２】
2007013911.tif 000004
【図３】
2007013911.tif 000005
【図４】
2007013911.tif 000006
【図５】
2007013911.tif 000007
【図６】
2007013911.tif 000008
【図７】
2007013911.tif 000009
【図８】
2007013911.tif 000010
【図９】
2007013911.tif 000011
【図１０】
2007013911.tif 000012
【図１１】
2007013911.tif 000013
【図１２】
2007013911.tif 000014
【図１３】
2007013911.tif 000015
【図１４】
2007013911.tif 000016
【図１５】
2007013911.tif 000017
【図１６】
2007013911.tif 000018
【図１７】
2007013911.tif 000019
【図１８】
2007013911.tif 000020
【図１９】
2007013911.tif 000021
【図２０】
2007013911.tif 000022
【図２１】
2007013911.tif 000023
【図２２】
2007013911.tif 000024
【図２３】
2007013911.tif 000025
【図２４】
2007013911.tif 000026
【図２５】
2007013911.tif 000027
【図２６】
2007013911.tif 000028
【図２７】
2007013911.tif 000029
【図２８】
2007013911.tif 000030
【図２９】
2007013911.tif 000031
【図３０】
2007013911.tif 000032
【図３１】
2007013911.tif 000033
【図３２】
2007013911.tif 000034
【図３３】
2007013911.tif 000035
【図３４】
2007013911.tif 000036
【図３５】
2007013911.tif 000037
【図３６】
2007013911.tif 000038
【図３７】
2007013911.tif 000039
【図３８】
2007013911.tif 000040